(57)【特許請求の範囲】
【請求項１】
複数のファイルと上記ファイルに関する再生回数制限情報を記憶できる記憶手段と、
上記記憶手段に記憶されている複数のファイルから所望のファイルの再生を指示する指示手段と、
上記指示手段にて指示された所望のファイルに再生制限が設定されているか否かを判別する判別手段と、
上記判別手段にて上記指示手段で指示された所望のファイルに再生制限が設定されていると判断された場合には、上記指示手段にて指示された所望のファイルの再生を行った経過時間を計数する計数手段と、
上記計数手段で計数した経過時間と所定時間とを比較する比較手段と、
上記比較手段にて、上記計数手段で計数した経過時間が上記所定時間を越えた場合には、上記再生制限情報を編集する編集手段とを備え、
上記計数手段で計数した経過時間が上記所定時間を越えない間に、ファイル検索指示または停止指示がなされた場合には、上記計数手段にて計数した経過時間をリセットし、
上記計数手段にて経過時間を計数中に、上記再生を行っているファイルの高速再生指示または上記再生を行っているファイルの再生一時停止指示が行われた場合には、上記計数手段での計数を一時停止することを特徴とする再生装置。
【請求項２】
請求項１において、
上記記憶手段は、不揮発性メモリにより構成されることを特徴とする再生装置。
【請求項３】
請求項１において、
上記編集手段での上記再生制限に関する情報の編集は、上記再生制限情報を一つ減らすことを特徴とする再生装置。
【請求項４】
請求項１において、
上記編集手段により編集された制限回数が所定の制限回数を越えた場合には、その指示されたファイルの再生を禁止することを特徴とする再生装置。
【請求項５】
請求項１において、
上記記憶手段は、再生装置本体から着脱可能であることを特徴とする再生装置。
【請求項６】
複数のファイルと、上記ファイルに対する再生制限に関する情報が記憶されたメモリを備え、メモリから上記再生制限に関する情報が設定されたファイルを再生する再生方法であって、
上記メモリに記憶されている複数のファイルから所望のファイルの再生を指示するステップと、
上記指示された所望のファイルに再生制限が設定されているか否かを判別するステップと、
上記判別するステップにおいて、指示された所望のファイルに再生制限が設定されていると判断された場合には、上記指示された所望のファイルの再生を行った経過時間を計数するステップと、
上記計数した経過時間と所定時間とを比較するステップと、
上記比較ステップにて上記計数した経過時間が上記所定時間を越えていると判断された場合には、上記再生制限回数に関する情報を編集するステップとからなり、
上記経過時間が上記所定時間を越えない間に、ファイル検索指示または停止指示がなされた場合には、上記計数手段にて計数した経過時間をリセットし、
上記経過時間を計数中に、上記再生を行っているファイルの高速再生指示または上記再生を行っているファイルの再生一時停止指示が行われた場合には、計数を一時停止することを特徴とする再生方法。
【請求項７】
請求項６において、
上記編集手段での上記再生制限に関する情報の編集は、上記再生制限情報を一つ減らすことを特徴とする再生方法。
【請求項８】
請求項６において、
編集された制限回数が所定の制限回数を越えた場合には、その指示されたファイルの再生を禁止することを特徴とする再生方法。
【発明の詳細な説明】
【０００１】
【発明の属する技術分野】
この発明は、例えば機器に対して着脱自在なメモリカードを使用し、オーディオデータを再生するのに適用される再生装置および再生方法に関する。
【０００２】
【従来の技術】
ＥＥＰＲＯＭ（Electrically Erasable Programmable ROM）と呼ばれる電気的に書き換え可能な不揮発性メモリは、１ビットを２個のトランジスタで構成するために、１ビット当たりの専有面積が大きく、集積度を高くするのに限界があった。この問題を解決するために、全ビット一括消去方式により１ビットを１トランジスタで実現することが可能なフラッシュメモリが開発された。フラッシュメモリは、磁気ディスク、光ディスク等の記録媒体に代わりうるものとして期待されている。
【０００３】
また、フラッシュメモリを機器に対して着脱自在に構成したメモリカードも知られている。このメモリカードを使用すれば、従来のＣＤ（コンパクトディスク）、ＭＤ（ミニディスク）等のディスク状記録媒体に換えてメモリカードを使用するディジタルオーディオ記録／再生装置を実現することができる。
【０００４】
一方、音声・映像情報のディジタル化およびマルチメディアへの対応に伴って近年、著作権保護が重視されている。また、情報サービスの分野においては、ディジタル化された音声・映像情報に何らかの再生制限情報を付加して記録媒体に記録し、この形態でもって情報を利用者に対して提供したり、また、ディジタル放送やインターネットを利用してディジタル化された音声・映像情報に何らかの再生制限情報を付加して各利用者に配信するサービスが検討されている。利用者は、再生制限情報で示される期間、回数等の範囲で、音声・映像情報（コンテンツ）を再生することができる。そして、若し、利用者がその結果、必要とすれば、有料で、その音声・映像情報をメモリカードに記録することができる。
【０００５】
【発明が解決しようとする課題】
従来、再生制限を必要とするオーディオ再生装置はなかった。しかしながら、上述したように、ＣＤ等のパッケージメディア以外の形態で販売される音楽が存在する可能性が生じつつある。そのような状況では、購入後の再生に関しては、従来では、全く無制限であったものが、再生制限を付けることが起こり得る。このため、再生装置側においては、再生したことの定義を明確することが必要となり、その定義に従って再生回数や再生時間を設定する必要がある。例えば１曲の中で３０秒以上聞いた時には、聞いたとされ、２５秒でつまらないので、次の曲へスキップしたときは、聞かなかったと定義されることがあり得る状況である。音楽を購入する場合も、３回しか聞かないので、安価に購入できることも考えられる。
【０００６】
すなわち、従来では、購入したパッケージメディアの再生は、自由であったが、今後は、再生装置は、種々の再生制限の条件を見る必要が生じる。言い換えれば、そのような再生制限情報に従った制御を行うことができない再生装置は、再生制限の付いた曲を再生することができない。再生装置は、再生の定義に従って再生回数、再生時間等を管理することができる必要がある。また、その管理されている値は、充分なセキュリティが必要であることは言うまでもない。
【０００７】
従って、この発明の目的は、再生制限情報が再生回数である時に、１回の再生を定義し、再生回数が再生制限回数を越えるまで、コンテンツを再生することができる再生装置および再生方法を提供することにある。
【０００８】
【課題を解決するための手段】
上述した課題を解決するために、請求項１の発明は、複数のファイルとファイルに関する再生回数制限情報を記憶できる記憶手段と、記憶手段に記憶されている複数のファイルから所望のファイルの再生を指示する指示手段と、指示手段にて指示された所望のファイルに再生制限が設定されているか否かを判別する判別手段と、判別手段にて指示手段で指示された所望のファイルに再生制限が設定されていると判断された場合には、指示手段にて指示された所望のファイルの再生を行った経過時間を計数する計数手段と、計数手段で計数した経過時間と所定時間とを比較する比較手段と、比較手段にて、計数手段で計数した経過時間が所定時間を越えた場合には、再生制限情報を編集する編集手段とを備え、計数手段で計数した経過時間が所定時間を越えない間に、ファイル検索指示または停止指示がなされた場合には、計数手段にて計数した経過時間をリセットし、計数手段にて経過時間を計数中に、再生を行っているファイルの高速再生指示または再生を行っているファイルの再生一時停止指示が行われた場合には、計数手段での計数を一時停止することを特徴とする再生装置である。
【０００９】
請求項６に記載の発明は、複数のファイルと、ファイルに対する再生制限に関する情報が記憶されたメモリを備え、メモリから再生制限に関する情報が設定されたファイルを再生する再生方法であって、メモリに記憶されている複数のファイルから所望のファイルの再生を指示するステップと、指示された所望のファイルに再生制限が設定されているか否かを判別するステップと、判別するステップにおいて、指示された所望のファイルに再生制限が設定されていると判断された場合には、指示された所望のファイルの再生を行った経過時間を計数するステップと、計数した経過時間と所定時間とを比較するステップと、比較ステップにて計数した経過時間が所定時間を越えていると判断された場合には、再生制限回数に関する情報を編集するステップとからなり、経過時間が所定時間を越えない間に、ファイル検索指示または停止指示がなされた場合には、計数手段にて計数した経過時間をリセットし、経過時間を計数中に、再生を行っているファイルの高速再生指示または再生を行っているファイルの再生一時停止指示が行われた場合には、計数を一時停止することを特徴とする再生方法である。
【００１０】
この発明では、再生時間が所定時間に到達した時に１回の再生がなされたと判定されると、再生回数ＣＴがデクリメントされる。また、再生途中において再生以外の特定のボタンが押された場合には、その押されたボタンに応じた処理がなされ、トラックの再生時間の計数が一時停止されたり、また、計数された再生時間のリセットがなされる。このため、明確な再生の定義に従って、再生回数を管理することが可能となる。
【００１１】
【発明の実施の形態】
以下、この発明の一実施形態について説明する。図１は、この発明の一実施形態におけるメモリカードを使用したディジタルオーディオレコーダの全体の構成を示す。この一実施形態は、記録媒体として、着脱自在のメモリカードを使用するディジタルオーディオ信号のレコーダ（記録および再生機）である。より具体的には、このレコーダは、アンプ装置、スピーカ、ＣＤプレーヤ、ＭＤレコーダ、チューナ等と共にオーディオシステムを構成する。この発明は、これ以外のオーディオレコーダに対しても適用できる。例えば携帯型レコーダに対しても適用できる。また、衛星を使用したデータ通信、ディジタル放送、インターネット等を経由して配信されるディジタルオーディオ信号を記録するレコーダに対しても適用できる。さらに、ディジタルオーディオ信号以外に動画データ、静止画データ等の記録／再生に対してもこの発明を適用できる。一実施形態においても、ディジタルオーディオ信号以外の画像、文字等の付加情報を記録／再生可能としている。
【００１２】
レコーダは、それぞれ１チップＩＣで構成されたオーディオエンコーダ／デコーダＩＣ１０、セキュリティＩＣ２０、ＤＳＰ(Digital Signal Processor)３０を有する。４０は、レコーダに対して着脱自在のメモリカードである。メモリカード４０は、フラッシュメモリ（不揮発性メモリ）、メモリコントロールブロック、ＤＥＳ(Data Encryption Standard)の暗号化回路を含むセキュリティブロックが１チップ上にＩＣ化されたものである。なお、この一実施形態では、ＤＳＰ３０を使用しているが、マイクロコンピュータを使用しても良い。
【００１３】
オーディオエンコーダ／デコーダＩＣ１０は、オーディオインタフェース１１およびエンコーダ／デコーダブロック１２を有する。エンコーダ／デコーダブロック１２は、ディジタルオーディオ信号をメモリカード４０に書き込むために高能率符号化し、また、メモリカード４０から読み出されたデータを復号する。高能率符号化方法としては、ミニディスクで採用されているＡＴＲＡＣ(Adaptive Transform Acoustic Coding)を改良したもの（ＡＴＲＡＣ３と表記する）が使用できる。
【００１４】
ＡＴＲＡＣ３では、４４．１ｋHzでサンプリングした１サンプル１６ビットのオーディオデータを処理する。ＡＴＲＡＣ３でオーディオデータを処理する時の最小のデータ単位がサウンドユニットＳＵである。１ＳＵは、１０２４サンプル分（１０２４×１６ビット×２チャンネル）を数百バイトに圧縮したものであり、時間にして約２３ｍ秒である。ＡＴＲＡＣ３により約１／１０にオーディオデータが圧縮される。ミニディスクにおいてそうであるように、ＡＴＲＡＣ３の工夫された信号処理によって、圧縮／伸長処理による音質の劣化は少ない。
【００１５】
ライン入力セレクタ１３は、ＭＤの再生出力、チューナの出力、テープ再生出力を選択的にＡ／Ｄ変換器１４に供給する。Ａ／Ｄ変換器１４は、選択されたライン入力信号を（サンプリング周波数＝４４．１ｋHz、１サンプル＝１６ビット）のディジタルオーディオ信号へ変換する。ディジタル入力セレクタ１６は、ＭＤ、ＣＤ、ＣＳ（衛星ディジタル放送）のディジタル出力を選択的にディジタル入力レシーバ１７に供給する。ディジタル入力は、例えば光ケーブルを介して伝送される。ディジタル入力レシーバ１７の出力がサンプリングレートコンバータ１５に供給され、ディジタル入力のサンプリング周波数が４４．１ｋHzに変換される。
【００１６】
オーディオエンコーダ／デコーダＩＣ１０のエンコーダ／デコーダブロック１２からの符号化データがセキュリティＩＣ２０のインタフェース２１を介してＤＥＳの暗号化回路２２に供給される。ＤＥＳの暗号化回路２２は、ＦＩＦＯ２３を有している。ＤＥＳの暗号化回路２２は、コンテンツの著作権を保護するための備えられている。メモリカード４０にも、ＤＥＳの暗号化回路が組み込まれている。レコーダのＤＥＳの暗号化回路２２は、複数のマスターキーと機器毎にユニークなストレージキーを持つ。さらに、ＤＥＳの暗号化回路２２は、乱数発生回路を持ち、ＤＥＳの暗号化回路を内蔵するメモリカードと認証およびセッションキーを共有することができる。よりさらに、ＤＥＳの暗号化回路２２は、ＤＥＳの暗号化回路を通してストレージキーでキーをかけなおすことができる。
【００１７】
ＤＥＳの暗号化回路２２からの暗号化されたオーディオデータがＤＳＰ(Digit al Signal Processor) ３０に供給される。ＤＳＰ３０は、着脱機構（図示しない）に装着されたメモリカード４０とメモリインタフェースを介しての通信を行い、暗号化されたデータをフラッシュメモリに書き込む。ＤＳＰ３０とメモリカード４０との間では、シリアル通信がなされる。また、メモリカードの制御に必要なメモリ容量を確保するために、ＤＳＰ３０に対して外付けのＳＲＡＭ(Static Random Access Memory) ３１が接続される。
【００１８】
さらに、ＤＳＰ３０に対して、バスインタフェース３２が接続され、図示しない外部のコントローラからのデータがバス３３を介してＤＳＰ３０に供給される。外部のコントローラは、オーディオシステム全体の動作を制御し、操作部からのユーザの操作に応じて発生した録音指令、再生指令等のデータをＤＳＰ３０にバスインタフェース３２を介して与える。また、画像情報、文字情報等の付加情報のデータもバスインタフェース３２を介してＤＳＰ３０に供給される。バス３３は、双方向通信路であり、メモリカード４０から読み出された付加情報データ、制御信号等がＤＳＰ３０、バスインターフェース３２、バス３３を介して外部のコントローラに取り込まれる。外部のコントローラは、具体的には、オーディオシステム内に含まれる他の機器例えばアンプ装置に含まれている。さらに、外部のコントローラによって、付加情報の表示、レコーダの動作状態等を表示するための表示が制御される。表示部は、オーディオシステム全体で共用される。ここで、バス３３を介して送受信されるデータは、著作物ではないので、暗号化がされない。
【００１９】
ＤＳＰ３０によってメモリカード４０から読み出した暗号化されたオーディオデータは、セキュリティＩＣ２０によって復号化され、オーディオエンコーダ／デコーダＩＣ１０によってＡＴＲＡＣ３の復号化処理を受ける。オーディオエンコーダ／デコーダ１０の出力がＤ／Ａ変換器１８に供給され、アナログオーディオ信号へ変換される。そして、アナログオーディオ信号がライン出力端子１９に取り出される。
【００２０】
ライン出力は、図示しないアンプ装置に伝送され、スピーカまたはヘッドホンにより再生される。Ｄ／Ａ変換器１８に対してミューティング信号が外部のコントローラから供給される。ミューティング信号がミューティングのオンを示す時には、ライン出力端子１９からのオーディオ出力が禁止される。
【００２１】
図２は、ＤＳＰ３０の内部構成を示す。ＤＳＰ３０は、コア３４と、フラッシュメモリ３５と、ＳＲＡＭ３６と、バスインタフェース３７と、メモリカードインタフェース３８と、バスおよびバス間のブリッジとで構成される。ＤＳＰ３０は、マイクロコンピュータと同様に機能し、コア３４がＣＰＵに相当する。フラッシュメモリ３５にＤＳＰ３０の処理のためのプログラムが格納されている。ＳＲＡＭ３６と外部のＳＲＡＭ３１とがＲＡＭとして使用される。
【００２２】
ＤＳＰ３０は、バスインタフェース３２、３７を介して受け取った録音指令等の操作信号に応答して、所定の暗号化されたオーディオデータ、所定の付加情報データをメモリカード４０に対して書き込み、また、これらのデータをメモリカード４０から読み出す処理を制御する。すなわち、オーディオデータ、付加情報の記録／再生を行うためのオーディオシステム全体のアプリケーションソフトウェアと、メモリカード４０との間にＤＳＰ３０が位置し、メモリカード４０のアクセス、ファイルシステム等のソフトウェアによってＤＳＰ３０が動作する。
【００２３】
ＤＳＰ３０におけるメモリカード４０上のファイル管理は、既存のパーソナルコンピュータで使用されているＦＡＴファイルシステムが使用される。このファイルシステムに加えて、一実施形態では、後述するようなデータ構成の管理ファイルが使用される。管理ファイルは、メモリカード４０上に記録されているデータファイルを管理する。第１のファイル管理情報としての管理ファイルは、オーディオデータのファイルを管理するものである。第２のファイル管理情報としてのＦＡＴは、オーディオデータのファイルと管理ファイルを含むメモリカード４０のフラッシュメモリ上のファイル全体を管理する。管理ファイルは、メモリカード４０に記録される。また、ＦＡＴは、ルートディレクトリ等と共に、予め出荷時にフラッシュメモリ上に書き込まれている。
【００２４】
なお、一実施形態では、著作権を保護するために、ＡＴＲＡＣ３により圧縮されたオーディオデータを暗号化している。一方、管理ファイルは、著作権保護が必要ないとして、暗号化を行わないようにしている。また、メモリカードとしても、暗号化機能を持つものと、これを持たないものとがありうる。一実施形態のように、著作物であるオーディオデータを記録するレコーダが使用できるものは、暗号化機能を持つメモリカードのみである。
【００２５】
図３は、メモリカード４０の構成を示す。メモリカード４０は、コントロールブロック４１とフラッシュメモリ４２が１チップＩＣとして構成されたものである。レコーダのＤＳＰ３０とメモリカード４０との間の双方向シリアルインタフェースは、１０本の線からなる。主要な４本の線は、データ伝送時にクロックを伝送するためのクロック線ＳＣＫと、ステータスを伝送するためのステータス線ＳＢＳと、データを伝送するデータ線ＤＩＯ、インターラプト線ＩＮＴとである。その他に電源供給用線として、２本のＧＮＤ線および２本のＶＣＣ線が設けられる。２本の線Ｒｅｓｅｒｖは、未定義の線である。
【００２６】
クロック線ＳＣＫは、データに同期したクロックを伝送するための線である。ステータス線ＳＢＳは、メモリカード４０のステータスを表す信号を伝送するための線である。データ線ＤＩＯは、コマンドおよび暗号化されたオーディオデータを入出力するための線である。インターラプト線ＩＮＴは、メモリカード４０からレコーダのＤＳＰ３０に対しての割り込みを要求するインターラプト信号を伝送する線である。メモリカード４０を装着した時にインターラプト信号が発生する。但し、この一実施形態では、インターラプト信号をデータ線ＤＩＯを介して伝送するようにしているので、インターラプト線ＩＮＴを接地している。
【００２７】
コントロールブロック４１のシリアル／パラレル変換・パラレル／シリアル変換・インタフェースブロック（Ｓ／Ｐ，Ｐ／Ｓ，ＩＦブロックと略す）４３は、上述した複数の線を介して接続されたレコーダのＤＳＰ３０とコントロールブロック４１とのインタフェースである。Ｓ／Ｐ，Ｐ／Ｓ，ＩＦブロック４３は、レコーダのＤＳＰ３０から受け取ったシリアルデータをパラレルデータに変換し、コントロールブロック４１に取り込み、コントロールブロック４１からのパラレルデータをシリアルデータに変換してレコーダのＤＳＰ３０に送る。また、Ｓ／Ｐ，Ｐ／Ｓ，ＩＦブロック４３は、データ線ＤＩＯを介して伝送されるコマンドおよびデータを受け取った時に、フラッシュメモリ４２に対する通常のアクセスのためのコマンドおよびデータと、暗号化に必要なコマンドおよびデータとを分離する。
【００２８】
つまり、データ線ＤＩＯを介して伝送されるフォーマットでは、最初にコマンドが伝送され、その後にデータが伝送される。Ｓ／Ｐ，Ｐ／Ｓ，ＩＦブロック４３は、コマンドのコードを見て、通常のアクセスに必要なコマンドおよびデータか、暗号化に必要なコマンドおよびデータかを判別する。この判別結果に従って、通常のアクセスに必要なコマンドをコマンドレジスタ４４に格納し、データをページバッファ４５およびライトレジスタ４６に格納する。ライトレジスタ４６と関連してエラー訂正符号化回路４７が設けられている。ページバッファ４５に一時的に蓄えられたデータに対して、エラー訂正符号化回路４７がエラー訂正符号の冗長コードを生成する。
【００２９】
コマンドレジスタ４４、ページバッファ４５、ライトレジスタ４６およびエラー訂正符号化回路４７の出力データがフラッシュメモリインタフェースおよびシーケンサ（メモリＩ／Ｆ，シーケンサと略す）５１に供給される。メモリＩＦ，シーケンサ５１は、コントロールブロック４１とフラッシュメモリ４２とのインタフェースであり、両者の間のデータのやり取りを制御する。メモリＩＦ，シーケンサ５１を介してデータがフラッシュメモリ４２に書き込まれる。
【００３０】
フラッシュメモリ４２に書き込まれるコンテンツ（ＡＴＲＡＣ３により圧縮されたオーディオデータ、以下ＡＴＲＡＣ３データと表記する）は、著作権保護のために、レコーダのセキュリティＩＣ２０とメモリカード４０のセキュリティブロック５２とによって、暗号化されたものである。セキュリティブロック５２は、バッファメモリ５３と、ＤＥＳの暗号化回路５４と、不揮発性メモリ５５とを有する。
【００３１】
メモリカード４０のセキュリティブロック５２は、複数の認証キーとメモリカード毎にユニークなストレージキーを持つ。不揮発性メモリ５５は、暗号化に必要なキーを格納するもので、外部からは見えない。例えばストレージキーが不揮発性メモリ５５に格納される。さらに、乱数発生回路を持ち、専用（ある決められたデータフォーマット等の使用が同じシステム内の意味）レコーダと認証ができ、セッションキーを共有できる。よりさらに、ＤＥＳの暗号化回路５４を通してストレージキーでキーのかけ直しができる。
【００３２】
例えばメモリカード４０をレコーダに装着した時に認証がなされる。認証は、レコーダのセキュリティＩＣ２０とメモリカード４０のセキュリティブロック５２によってなされる。レコーダは、装着されたメモリカード４０が本人（同じシステム内のメモリカード）であることを認め、また、メモリカード４０が相手のレコーダが本人（同じシステム内のレコーダ）であることを認めると、互いに相手が本人であることを確認する。認証が行われると、レコーダとメモリカード４０がそれぞれセッションキーを生成し、セッションキーを共有する。セッションキーは、認証の度に生成される。
【００３３】
そして、メモリカード４０に対するコンテンツの書き込み時には、レコーダがセッションキーでコンテンツキーを暗号化してメモリカード４０に渡す。メモリカード４０では、コンテンツキーをセッションキーで復号し、ストレージキーで暗号化してレコーダに渡す。ストレージキーは、メモリカード４０の一つ一つにユニークなキーであり、レコーダは、暗号化されたコンテンツキーを受け取ると、フォーマット処理を行い、暗号化されたコンテンツキーと暗号化されたコンテンツをメモリカード４０に書き込む。
【００３４】
フラッシュメモリ４２から読み出されたデータがメモリＩＦ，シーケンサ５１を介してページバッファ４５、リードレジスタ４８、エラー訂正回路４９に供給される。ページバッファ４５に記憶されたデータがエラー訂正回路４９によってエラー訂正がなされる。エラー訂正がされたページバッファ４５の出力およびリードレジスタ４８の出力がＳ／Ｐ，Ｐ／Ｓ，ＩＦブロック４３に供給され、上述したシリアルインタフェースを介してレコーダのＤＳＰ３０に供給される。
【００３５】
読み出し時には、ストレージキーで暗号化されたコンテンツキーとブロックキーで暗号化されたコンテンツとがフラッシュメモリ４２から読み出される。セキュリティブロック５２によって、ストレージキーでコンテンツキーが復号される。復号したコンテンツキーがセッションキーで暗号化されてレコーダ側に送信される。レコーダは、受信したセッションキーでコンテンツキーを復号する。レコーダは、復号したコンテンツキーでブロックキーを生成する。このブロックキーによって、暗号化されたＡＴＲＡＣ３データを順次復号する。
【００３６】
なお、５０は、メモリカード４０のバージョン情報、各種の属性情報等が格納されているコンフィグレーションＲＯＭである。また、メモリカード４０には、ユーザが必要に応じて操作可能な誤消去防止用のスイッチ６０が備えられている。このスイッチ６０が消去禁止の接続状態にある場合には、フラッシュメモリ４２を消去することを指示するコマンドがレコーダ側から送られてきても、フラッシュメモリ４２の消去が禁止される。さらに、６１は、メモリカード４０の処理のタイミング基準となるクロックを発生する発振器である。
【００３７】
図４は、メモリカードを記憶媒体とするコンピュータシステムのファイルシステム処理階層を示す。ファイルシステム処理階層としては、アプリケーション処理層が最上位であり、その下に、ファイル管理処理層、論理アドレス管理層、物理アドレス管理層、フラッシュメモリアクセスが順次おかれる。この階層構造において、ファイル管理処理層がＦＡＴファイルシステムである。物理アドレスは、フラッシュメモリの各ブロックに対して付されたもので、ブロックと物理アドレスの対応関係は、不変である。論理アドレスは、ファイル管理処理層が論理的に扱うアドレスである。
【００３８】
図５は、メモリカード４０におけるフラッシュメモリ４２のデータの物理的構成の一例を示す。フラッシュメモリ４２は、セグメントと称されるデータ単位が所定数のブロック（固定長）へ分割され、１ブロックが所定数のページ（固定長）へ分割される。フラッシュメモリ４２では、ブロック単位で消去が一括して行われ、書き込みと読み出しは、ページ単位で一括して行われる。各ブロックおよび各ページは、それぞれ同一のサイズとされ、１ブロックがページ０からページｍで構成される。１ブロックは、例えば８ＫＢ（Ｋバイト）バイトまたは１６ＫＢの容量とされ、１ページが５１２Ｂの容量とされる。フラッシュメモリ４２全体では、１ブロック＝８ＫＢの場合で、４ＭＢ（５１２ブロック）、８ＭＢ（１０２４ブロック）とされ、１ブロック＝１６ＫＢの場合で、１６ＭＢ（１０２４ブロック）、３２ＭＢ（２０４８ブロック）、６４ＭＢ（４０９６ブロック）の容量とされる。
【００３９】
１ページは、５１２バイトのデータ部と１６バイトの冗長部とからなる。冗長部の先頭の３バイトは、データの更新に応じて書き換えられるオーバーライト部分とされる。３バイトの各バイトに、先頭から順にブロックステータス、ページステータス、更新ステータスが記録される。冗長部の残りの１３バイトの内容は、原則的にデータ部の内容に応じて固定とされる。１３バイトは、管理フラグ（１バイト）、論理アドレス（２バイト）、フォーマットリザーブの領域（５バイト）、分散情報ＥＣＣ（２バイト）およびデータＥＣＣ（３バイト）からなる。分散情報ＥＣＣは、管理フラグ、論理アドレス、フォーマットリザーブに対する誤り訂正用の冗長データであり、データＥＣＣは、５１２バイトのデータに対する誤り訂正用の冗長データである。
【００４０】
管理フラグとして、システムフラグ（その値が１：ユーザブロック、０：ブートブロック）、変換テーブルフラグ（１：無効、０：テーブルブロック）、コピー禁止指定（１：ＯＫ、０：ＮＧ）、アクセス許可（１：ｆｒｅｅ、０：リードプロテクト）の各フラグが記録される。
【００４１】
先頭の二つのブロック０およびブロック１がブートブロックである。ブロック１は、ブロック０と同一のデータが書かれるバックアップ用である。ブートブロックは、カード内の有効なブロックの先頭ブロックであり、メモリカードを機器に装填した時に最初にアクセスされるブロックである。残りのブロックがユーザブロックである。ブートブロックの先頭のページ０にヘッダ、システムエントリ、ブート＆アトリビュート情報が格納される。ページ１に使用禁止ブロックデータが格納される。ページ２にＣＩＳ(Card Information Structure)／ＩＤＩ(Identify Drive Information)が格納される。
【００４２】
ブートブロックのヘッダは、ブートブロックＩＤ、ブートブロック内の有効なエントリ数が記録される。システムエントリには、使用禁止ブロックデータの開始位置、そのデータサイズ、データ種別、ＣＩＳ／ＩＤＩのデータ開始位置、そのデータサイズ、データ種別が記録される。ブート＆アトリビュート情報には、メモリカードのタイプ（読み出し専用、リードおよびライト可能、両タイプのハイブリッド等）、ブロックサイズ、ブロック数、総ブロック数、セキュリティ対応か否か、カードの製造に関連したデータ（製造年月日等）等が記録される。
【００４３】
フラッシュメモリは、データの書き換えを行うことにより絶縁膜の劣化を生じ、書き換え回数が制限される。従って、ある同一の記憶領域（ブロック）に対して繰り返し集中的にアクセスがなされることを防止する必要がある。従って、ある物理アドレスに格納されているある論理アドレスのデータを書き換える場合、フラッシュメモリのファイルシステムでは、同一のブロックに対して更新したデータを再度書き込むことはせずに、未使用のブロックに対して更新したデータを書き込むようになされる。その結果、データ更新前における論理アドレスと物理アドレスの対応関係が更新後では、変化する。このような処理（スワップ処理と称する）を行うことで、同一のブロックに対して繰り返して集中的にアクセスがされることが防止され、フラッシュメモリの寿命を延ばすことが可能となる。
【００４４】
論理アドレスは、一旦ブロックに対して書き込まれたデータに付随するので、更新前のデータと更新後のデータの書き込まれるブロックが移動しても、ＦＡＴからは、同一のアドレスが見えることになり、以降のアクセスを適正に行うことができる。スワップ処理により論理アドレスと物理アドレスとの対応関係が変化するので、両者の対応を示す論理−物理アドレス変換テーブルが必要となる。このテーブルを参照することによって、ＦＡＴが指定した論理アドレスに対応する物理アドレスが特定され、特定された物理アドレスが示すブロックに対するアクセスが可能となる。
【００４５】
論理−物理アドレス変換テーブルは、ＤＳＰ３０によってＳＲＡＭ上に格納される。若し、ＲＡＭ容量が少ない時は、フラッシュメモリ中に格納することができる。このテーブルは、概略的には、昇順に並べた論理アドレス（２バイト）に物理アドレス（２バイト）をそれぞれ対応させたテーブルである。フラッシュメモリの最大容量を１２８ＭＢ（８１９２ブロック）としているので、２バイトによって８１９２のアドレスを表すことができる。また、論理−物理アドレス変換テーブルは、セグメント毎に管理され、そのサイズは、フラッシュメモリの容量に応じて大きくなる。例えばフラッシュメモリの容量が８ＭＢ（２セグメント）の場合では、２個のセグメントのそれぞれに対して２ページが論理−物理アドレス変換テーブル用に使用される。論理−物理アドレス変換テーブルを、フラッシュメモリ中に格納する時には、上述した各ページの冗長部における管理フラグの所定の１ビットによって、当該ブロックが論理−物理アドレス変換テーブルが格納されているブロックか否かが指示される。
【００４６】
上述したメモリカードは、ディスク状記録媒体と同様にパーソナルコンピュータのＦＡＴファイルシステムによって使用可能なものである。図５には示されてないが、フラッシュメモリ上にＩＰＬ領域、ＦＡＴ領域およびルート・ディレクトリ領域が設けられる。ＩＰＬ領域には、最初にレコーダのメモリにロードすべきプログラムが書かれているアドレス、並びにメモリの各種情報が書かれている。ＦＡＴ領域には、ブロック（クラスタ）の関連事項が書かれている。ＦＡＴには、未使用のブロック、次のブロック番号、不良ブロック、最後のブロックをそれぞれ示す値が規定される。さらに、ルートディレクトリ領域には、ディレクトリエントリ（ファイル属性、更新年月日、開始クラスタ、ファイルサイズ等）が書かれている。
【００４７】
この一実施形態では、上述したメモリカード４０のフォーマットで規定されるファイル管理システムとは別個に、音楽用ファイルに対して、各トラックおよび各トラックを構成するパーツを管理するための管理ファイルを持つようにしている。この管理ファイルは、メモリカード４０のユーザブロックを利用してフラッシュメモリ４２上に記録される。それによって、後述するように、メモリカード４０上のＦＡＴが壊れても、ファイルの修復を可能となる。
【００４８】
この管理ファイルは、ＤＳＰ３０により作成される。例えば最初に電源をオンした時に、メモリカード４０の装着されているか否かが判定され、メモリカードが装着されている時には、認証が行われる。認証により正規のメモリカードであることが確認されると、フラッシュメモリ４２のブートブロックがＤＳＰ３０に読み込まれる。そして、論理−物理アドレス変換テーブルが読み込まれる。読み込まれたデータは、ＳＲＡＭに格納される。ユーザが購入して初めて使用するメモリカードでも、出荷時にフラッシュメモリ４２には、ＦＡＴや、ルートディレクトリの書き込みがなされている。管理ファイルは、録音がなされると、作成される。
【００４９】
すなわち、ユーザのリモートコントロール等によって発生した録音指令が外部のコントローラからバスおよびバスインターフェース３２を介してＤＳＰ３０に与えられる。そして、受信したオーディオデータがエンコーダ／デコーダＩＣ１０によって圧縮され、エンコーダ／デコーダＩＣ１０からのＡＴＲＡＣ３データがセキュリティＩＣ２０により暗号化される。ＤＳＰ３０が暗号化されたＡＴＲＡＣ３データをメモリカード４０のフラッシュメモリ４２に記録する。この記録後にＦＡＴおよび管理ファイルが更新される。ファイルの更新の度、具体的には、オーディオデータの記録を開始し、記録を終了する度に、ＳＲＡＭ３１および３６上でＦＡＴおよび管理ファイルが書き換えられる。そして、メモリカード４０を外す時に、またはパワーをオフする時に、ＳＲＡＭ３１、３６からメモリカード４０のフラッシュメモリ４２上に最終的なＦＡＴおよび管理ファイルが格納される。この場合、オーディオデータの記録を開始し、記録を終了する度に、フラッシュメモリ４２上のＦＡＴおよび管理ファイルを書き換えても良い。編集を行った場合も、管理ファイルの内容が更新される。
【００５０】
さらに、この一実施形態のデータ構成では、付加情報も管理ファイル内に作成、更新され、フラッシュメモリ４２上に記録される。管理ファイルの他のデータ構成では、付加情報管理ファイルがトラック管理用の管理ファイルとは別に作成される。付加情報は、外部のコントローラからバスおよびバスインターフェース３２を介してＤＳＰ３０に与えられる。ＤＳＰ３０が受信した付加情報をメモリカード４０のフラッシュメモリ４２上に記録する。付加情報は、セキュリティＩＣ２０を通らないので、暗号化されない。付加情報は、メモリカード４０を取り外したり、電源オフの時に、ＤＳＰ３０のＳＲＡＭからフラッシュメモリ４２に書き込まれる。
【００５１】
図６は、メモリカード４０のファイル構成の全体を示す。ディレクトリとして、静止画用ディレクトリ、動画用ディレクトリ、音声用ディレクトリ、制御用ディレクトリ、音楽用（ＨＩＦＩ）ディレクトリが存在する。この一実施形態は、音楽の記録／再生を行うので、以下、音楽用ディレクトリについて説明する。音楽用ディレクトリには、２種類のファイルが置かれる。その１つは、再生管理ファイルＰＢＬＩＳＴ．ＭＳＦ（以下、単にＰＢＬＩＳＴと表記する）であり、他のものは、暗号化された音楽データを収納したＡＴＲＡＣ３データファイルＡ３Ｄｎｎｎｎ．ＭＳＡ（以下、単にＡ３Ｄｎｎｎと表記する）とからなる。ＡＴＲＡＣ３データファイルは、最大数が４００までと規定されている。ＡＴＲＡＣ３データファイルは、再生管理ファイルに登録した上で機器により任意に作成される。
【００５２】
図７は、再生管理ファイルの構成を示し、図８が一つ（１曲）のＡＴＲＡＣ３データファイルの構成を示す。再生管理ファイルは、１６ＫＢ固定長のファイルである。ＡＴＲＡＣ３データファイルは、曲単位でもって、先頭の属性ヘッダと、それに続く実際の暗号化された音楽データとからなる。属性ヘッダも１６ＫＢ固定長とされ、再生管理ファイルと類似した構成を有する。
【００５３】
再生管理ファイルは、ヘッダ、１バイトコードのメモリカードの名前ＮＭ１−Ｓ、２バイトコードのメモリカードの名前ＮＭ２−Ｓ、曲順の再生テーブルＴＲＫＴＢＬ、メモリカード全体の付加情報ＩＮＦ−Ｓとからなる。データファイルの先頭の属性ヘッダは、ヘッダ、１バイトコードの曲名ＮＭ１、２バイトコードの曲名ＮＭ２、トラックのキー情報等のトラック情報ＴＲＫＩＮＦ、パーツ情報ＰＲＴＩＮＦと、トラックの付加情報ＩＮＦとからなる。ヘッダには、総パーツ数、名前の属性、付加情報のサイズの情報等が含まれる。
【００５４】
属性ヘッダに対してＡＴＲＡＣ３の音楽データが続く。音楽データは、１６ＫＢのブロック毎に区切られ、各ブロックの先頭にヘッダが付加されている。ヘッダには、暗号を復号するための初期値が含まれる。なお、暗号化の処理を受けるのは、ＡＴＲＡＣ３データファイル中の音楽データのみであって、それ以外の再生管理ファイル、ヘッダ等のデータは、暗号化されない。
【００５５】
図９を参照して、曲（トラック）とＡＴＲＡＣ３データファイルの関係について説明する。１トラックは、１曲を意味する。１曲は、１つのＡＴＲＡＣ３データファイル（図８参照）で構成される。ＡＴＲＡＣ３データファイルは、ＡＴＲＡＣ３により圧縮されたオーディオデータである。メモリカード４０に対しては、クラスタと呼ばれる単位で記録される。１クラスタは、例えば１６ＫＢの容量である。１クラスタに複数のファイルが混じることがない。フラッシュメモリ４２を消去する時の最小単位が１ブロックである。音楽データを記録するのに使用するメモリカード４０の場合、ブロックとクラスタは、同意語であり、且つ１クラスタ＝１セクタと定義されている。
【００５６】
１曲は、基本的に１パーツで構成されるが、編集が行われると、複数のパーツから１曲が構成されることがある。パーツは、録音開始からその停止までの連続した時間内で記録されたデータの単位を意味し、通常は、１トラックが１パーツで構成される。曲内のパーツのつながりは、各曲の属性ヘッダ内のパーツ情報ＰＲＴＩＮＦで管理する。すなわち、パーツサイズは、ＰＲＴＩＮＦの中のパーツサイズＰＲＴＳＩＺＥという４バイトのデータで表す。パーツサイズＰＲＴＳＩＺＥの先頭の２バイトがパーツが持つクラスタの総数を示し、続く各１バイトが先頭および末尾のクラスタ内の開始サウンドユニット（ＳＵと略記する）の位置、終了ＳＵの位置を示す。このようなパーツの記述方法を持つことによって、音楽データを編集する際に通常、必要とされる大量の音楽データの移動をなくすことが可能となる。ブロック単位の編集に限定すれば、同様に音楽データの移動を回避できるが、ブロック単位は、ＳＵ単位に比して編集単位が大きすぎる。
【００５７】
ＳＵは、パーツの最小単位であり、且つＡＴＲＡＣ３でオーディオデータを圧縮する時の最小のデータ単位である。４４．１ｋHzのサンプリング周波数で得られた１０２４サンプル分（１０２４×１６ビット×２チャンネル）のオーディオデータを約１／１０に圧縮した数百バイトのデータがＳＵである。１ＳＵは、時間に換算して約２３ｍ秒になる。通常は、数千に及ぶＳＵによって１つのパーツが構成される。１クラスタが４２個のＳＵで構成される場合、１クラスタで約１秒の音を表すことができる。１つのトラックを構成するパーツの数は、付加情報サイズに影響される。パーツ数は、１ブロックの中からヘッダや曲名、付加情報データ等を除いた数で決まるために、付加情報が全く無い状態が最大数（６４５個）のパーツを使用できる条件となる。
【００５８】
図９は、ＣＤ等からのオーディオデータを２曲連続して記録する場合のファイル構成を示す。１曲目（ファイル１）が例えば５クラスタで構成される。１曲目と２曲目（ファイル２）の曲間では、１クラスタに二つのファイルが混在することが許されないので、次のクラスタの最初からファイル２が作成される。従って、ファイル１に対応するパーツ１の終端（１曲目の終端）がクラスタの途中に位置し、クラスタの残りの部分には、データが存在しない。第２曲目（ファイル２）も同様に１パーツで構成される。ファイル１の場合では、パーツサイズが５、開始クラスタのＳＵが０、終了クラスタが４となる。
【００５９】
編集操作として、デバイド、コンバイン、イレーズ、ムーブの４個の操作が規定される。デバイドは、１つのトラックを２つに分割することである。デバイドがされると、総トラック数が１つ増加する。デバイドは、一つのファイルをファイルシステム上で分割して２つのファイルとし、再生管理ファイルを更新する。コンバインは、２つのトラックを１つに統合することである。コンバインされると、総トラック数が１つ減少する。コンバインは、２つのファイルをファイルシステム上で統合して１つのファイルにし、再生管理ファイルを更新する。イレーズは、トラックを消去することである。消された以降のトラック番号が１つ減少する。ムーブは、トラック順番を変えることである。再生管理ファイルを更新する。ムーブの他の意味は、メモリカード内ではなく、メモリカードから他の媒体例えばハードディスクにトラックを移動させる処理のことである。コピーは、オリジナルの複製を作成する操作であるのに対して、ムーブは、移動のみを意味する。従って、ムーブによって、トラックの複製が発生しない。
【００６０】
図９に示す二つの曲（ファイル１およびファイル２）をコンバインした結果を図１０に示す。コンバインされた結果は、１つのファイルであり、このファイルは、二つのパーツからなる。また、図１１は、一つの曲（ファイル１）をクラスタ２の途中でデバイドした結果を示す。デバイドによって、クラスタ０、１およびクラスタ２の前側からなるファイル１と、クラスタ２の後側とクラスタ３および４とからなるファイル２とが発生する。
【００６１】
上述したように、この一実施形態では、パーツに関する記述方法があるので、コンバインした結果（図１０）において、パーツ１の開始位置、パーツ１の終了位置、パーツ２の開始位置、パーツ２の終了位置をそれぞれＳＵ単位でもって規定できる。その結果、コンバインした結果のつなぎ目の隙間をつめるために、パーツ２の音楽データを移動する必要がない。また、パーツに関する記述方法があるので、デバイドした結果（図１１）において、ファイル２の先頭の空きを詰めるように、データを移動する必要がない。
【００６２】
図１２は、再生管理ファイルＰＢＬＩＳＴのより詳細なデータ構成を示し、図１３Ａ、図１３Ｂは、再生管理ファイルＰＢＬＩＳＴを構成するヘッダとそれ以外の部分をそれぞれ示す。再生管理ファイルＰＢＬＩＳＴは、１クラスタ（１ブロック＝１６ＫＢ）のサイズである。ヘッダ（図１３Ａ）が３２バイトである。ヘッダ以外の部分（図１３Ｂ）がメモリカード全体に対する名前ＮＭ１−Ｓ（２５６バイト）、名前ＮＭ２−Ｓ（５１２バイト）、ＣＯＮＴＥＮＴＳ  ＫＥＹ、ＭＡＣ、Ｓ−ＹＭＤｈｍｓと、再生順番を管理するテーブルＴＲＫＴＢＬ（８００バイト）と、メモリカード全体に対する付加情報ＩＮＦ−Ｓ（１４７２０バイト）であり、最後にヘッダ中の情報の一部が再度記録される。これらの異なる種類のデータ群のそれぞれの先頭は、再生管理ファイル内で所定の位置となるように規定されている。
【００６３】
再生管理ファイルは、（０ｘ００００）および（０ｘ００１０）で表される先頭から３２バイト（図１３Ａ）がヘッダである。なお、ファイル中で先頭から１６バイト単位で区切られた単位をスロットと称する。ファイルの第１および第２のスロットに配されるヘッダには、下記の意味、機能、値を持つデータが先頭から順に配される。なお、Ｒｅｓｅｒｖｅｄと表記されているデータは、未定義のデータを表している。通常ヌル（０ｘ００）が書かれるが、何が書かれていてもＲｅｓｅｒｖｅｄのデータが無視される。将来のバージョンでは、変更がありうる。また、この部分への書き込みは禁止する。Ｏｐｔｉｏｎと書かれた部分も使用しない場合は、全てＲｅｓｅｒｖｅｄと同じ扱いとされる。
【００６４】
ＢＬＫＩＤ−ＴＬ０（４バイト）
意味：BLOCKID FILE ID
機能：再生管理ファイルの先頭であることを識別するための値
値：固定値＝”ＴＬ＝０”（例えば０ｘ５４４Ｃ２Ｄ３０）
ＭＣｏｄｅ（２バイト）
意味：MAKER CODE
機能：記録した機器の、メーカー、モデルを識別するコード
値：上位１０ビット（メーカーコード）  下位６ビット（機種コード）
ＲＥＶＩＳＩＯＮ（４バイト）
意味：ＰＢＬＩＳＴの書き換え回数
機能：再生管理ファイルを書き換える度にインクリメント
値：０より始まり＋１づつ増加する
Ｓ−ＹＭＤｈｍｓ（４バイト）（Ｏｐｔｉｏｎ）
意味：信頼できる時計を持つ機器で記録した年・月・日・時・分・秒
機能：最終記録日時を識別するための値
値：２５〜３１ビット  年  ０〜９９（１９８０〜２０７９）
２１〜２４ビット  月  ０〜１２
１６〜２０ビット  日  ０〜３１
１１〜１５ビット  時  ０〜２３
０５〜１０ビット  分  ０〜５９
００〜０４ビット  秒  ０〜２９（２秒単位）。
【００６５】
ＳＮ１Ｃ＋Ｌ（２バイト）
意味：ＮＭ１−Ｓ領域に書かれるメモリカードの名前（１バイト）の属性を表
す
機能：使用する文字コードと言語コードを各１バイトで表す
値：文字コード（Ｃ）は上位１バイトで下記のように文字を区別する
00: 文字コードは設定しない。単なる２進数として扱うこと
01: ASCII  02:ASCII+KANA  03:modifided8859-1
81:MS-JIS  82:KS C 5601-1989  83:GB2312-80  90:S-JIS(for Voice) 。
【００６６】
言語コード（Ｌ）は下位１バイトで下記のようにEBU Tech 3258 規定に準じて言語を区別する
00: 設定しない  08:German  09:English  0A:Spanish
0F:French  15:Italian  1D:Dutch
65:Korean  69:Japanese  75:Chinese
データが無い場合オールゼロとすること。
【００６７】
ＳＮ２Ｃ＋Ｌ（２バイト）
意味：ＮＭ２−Ｓ領域に書かれるメモリカードの名前（２バイト）の属性を表
す
機能：使用する文字コードと言語コードを各１バイトで表す
値：上述したＳＮ１Ｃ＋Ｌと同一
ＳＩＮＦＳＩＺＥ（２バイト）
意味：ＩＮＦ−Ｓ領域に書かれるメモリカード全体に関する付加情報の全てを
合計したサイズを表す
機能：データサイズを１６バイト単位の大きさで記述、無い場合は必ずオール
ゼロとすること
値：サイズは０ｘ０００１から０ｘ３９Ｃ（９２４）
Ｔ−ＴＲＫ（２バイト）
意味：TOTAL TRACK NUMBER
機能：総トラック数
値：１から０ｘ０１９０（最大４００トラック）、データが無い場合はオールゼロとすること
ＶｅｒＮｏ（２バイト）
意味：フォーマットのバージョン番号
機能：上位がメジャーバージョン番号、下位がマイナーバージョン番号
値：例  ０ｘ０１００（Ｖｅｒ１．０）
０ｘ０２０３（Ｖｅｒ２．３）。
【００６８】
上述したヘッダに続く領域に書かれるデータ（図１３Ｂ）について以下に説明する。
【００６９】
ＮＭ１−Ｓ
意味：メモリカード全体に関する１バイトの名前
機能：１バイトの文字コードで表した可変長の名前データ（最大で２５６）
名前データの終了は、必ず終端コード（０ｘ００）を書き込むこと
サイズはこの終端コードから計算すること、データの無い場合は少なくとも先
頭（０ｘ００２０）からヌル（０ｘ００）を１バイト以上記録すること
値：各種文字コード
ＮＭ２−Ｓ
意味：メモリカード全体に関する２バイトの名前
機能：２バイトの文字コードで表した可変長の名前データ（最大で５１２）
名前データの終了は、必ず終端コード（０ｘ００）を書き込むこと
サイズはこの終端コードから計算すること、データの無い場合は少なくとも先
頭（０ｘ０１２０）からヌル（０ｘ００）を２バイト以上記録すること
値：各種文字コード。
【００７０】
ＣＯＮＴＥＮＴＳ  ＫＥＹ
意味：曲ごとに用意された値でＭＧ（Ｍ）で保護されてから保存される。ここ
では、１曲目に付けられるＣＯＮＴＥＮＴＳ  ＫＥＹと同じ値
機能：Ｓ−ＹＭＤｈｍｓのＭＡＣの計算に必要となる鍵となる
値：０から０ｘＦＦＦＦＦＦＦＦＦＦＦＦＦＦＦＦまで
ＭＡＣ
意味：著作権情報改ざんチェック値
機能：Ｓ−ＹＭＤｈｍｓの内容とＣＯＮＴＥＮＴＳ  ＫＥＹから作成される値
値：０から０ｘＦＦＦＦＦＦＦＦＦＦＦＦＦＦＦＦまで。
【００７１】
ＴＲＫ−ｎｎｎ
意味：再生するＡＴＲＡＣ３データファイルのＳＱＮ（シーケンス）番号
機能：ＴＲＫＩＮＦの中のＦＮｏを記述する
値：１から４００（０ｘ１９０）
トラックが存在しない時はオールゼロとすること
ＩＮＦ−Ｓ
意味：メモリカード全体に関する付加情報データ（例えば写真、歌詞、解説等
の情報）
機能：ヘッダを伴った可変長の付加情報データ
複数の異なる付加情報が並べられることがある。それぞれにＩＤとデータサイズが付けられている。個々のヘッダを含む付加情報データは最小１６バイト以
上で４バイトの整数倍の単位で構成される。その詳細については、後述する
値：付加情報データ構成を参照
Ｓ−ＹＭＤｈｍｓ（４バイト）（Ｏｐｔｉｏｎ）
意味：信頼できる時計を持つ機器で記録した年・月・日・時・分・秒
機能：最終記録日時を識別するための値、ＥＭＤの時は必須
値：２５〜３１ビット  年  ０〜９９（１９８０〜２０７９）
２１〜２４ビット  月  ０〜１２
１６〜２０ビット  日  ０〜３１
１１〜１５ビット  時  ０〜２３
０５〜１０ビット  分  ０〜５９
００〜０４ビット  秒  ０〜２９（２秒単位）。
【００７２】
再生管理ファイルの最後のスロットとして、ヘッダ内のものと同一のＢＬＫＩＤ−ＴＬ０と、ＭＣｏｄｅと、ＲＥＶＩＳＩＯＮとが書かれる。
【００７３】
民生用オーディオ機器として、メモリカードが記録中に抜かれたり、電源が切れることがあり、復活した時にこれらの異常の発生を検出することが必要とされる。上述したように、ＲＥＶＩＳＩＯＮをブロックの先頭と末尾に書き込み、この値を書き換える度に＋１インクリメントするようにしている。若し、ブロックの途中で異常終了が発生すると、先頭と末尾のＲＥＶＩＳＩＯＮの値が一致せず、異常終了を検出することができる。ＲＥＶＩＳＩＯＮが２個存在するので、高い確率で異常終了を検出することができる。異常終了の検出時には、エラーメッセージの表示等の警告が発生する。
【００７４】
また、１ブロック（１６ＫＢ）の先頭部分に固定値ＢＬＫＩＤ−ＴＬ０を挿入しているので、ＦＡＴが壊れた場合の修復の目安に固定値を使用できる。すなわち、各ブロックの先頭の固定値を見れば、ファイルの種類を判別することが可能である。しかも、この固定値ＢＬＫＩＤ−ＴＬ０は、ブロックのヘッダおよびブロックの終端部分に二重に記述するので、その信頼性のチェックを行うことができる。なお、再生管理ファイルＰＢＬＩＳＴの同一のものを二重に記録しても良い。
【００７５】
ＡＴＲＡＣ３データファイルは、トラック情報管理ファイルと比較して、相当大きなデータ量（例えば数千のブロックが繋がる場合もある）であり、ＡＴＲＡＣ３データファイルに関しては、後述するように、ブロック番号ＢＬＯＣＫ  ＳＥＲＩＡＬが付けられている。但し、ＡＴＲＡＣ３データファイルは、通常複数のファイルがメモリカード上に存在するので、ＣＯＮＮＵＭ０でコンテンツの区別を付けた上で、ＢＬＯＣＫ  ＳＥＲＩＡＬを付けないと、重複が発生し、ＦＡＴが壊れた場合のファイルの復旧が困難となる。
【００７６】
同様に、ＦＡＴの破壊までにはいたらないが、論理を間違ってファイルとして不都合のあるような場合に、書き込んだメーカーの機種が特定できるように、メーカーコード（ＭＣｏｄｅ）がブロックの先頭と末尾に記録されている。
【００７７】
図１３Ｃは、付加情報データの構成を示す。付加情報の先頭に下記のヘッダが書かれる。ヘッダ以降に可変長のデータが書かれる。
【００７８】
ＩＮＦ
意味：FIELD ID
機能：付加情報データの先頭を示す固定値
値：０ｘ６９
ＩＤ
意味：付加情報キーコード
機能：付加情報の分類を示す
値：０から０ｘＦＦ
ＳＩＺＥ
意味：個別の付加情報の大きさ
機能：データサイズは自由であるが、必ず４バイトの整数倍でなければならない。また、最小１６バイト以上のこと。データの終わりより余りがでる場合は
ヌル（０ｘ００）で埋めておくこと
値：１６から１４７８４（０ｘ３９Ｃ０）
ＭＣｏｄｅ
意味：MAKER CODE
機能：記録した機器の、メーカー、モデルを識別するコード
値：上位１０ビット（メーカーコード）  下位６ビット（機種コード）
Ｃ＋Ｌ
意味：先頭から１２バイト目からのデータ領域に書かれる文字の属性を表す
機能：使用する文字コードと言語コードを各１バイトで表す
値：前述のＳＮＣ＋Ｌと同じ
ＤＡＴＡ
意味：個別の付加情報データ
機能：可変長データで表す。実データの先頭は常に１２バイト目より始まり、長さ（サイズ）は最小４バイト以上、常に４バイトの整数倍でなければならな
い。データの最後から余りがある場合はヌル（０ｘ００）で埋めること
値：内容により個別に定義される。
【００７９】
図１４は、付加情報キーコードの値（０〜６３）と、付加情報の種類の対応の一例を示す。キーコードの値（０〜３１）が音楽関係（文字情報）に対して割り当てられ、その（３２〜６３）がＵＲＬ(Uniform Resource Locator)（Ｗｅｂ関係）に対して割り当てられている。アルバムタイトル、アーティスト名、ＣＭ等の文字情報が付加情報として記録される。
【００８０】
図１５は、付加情報キーコードの値（６４〜１２７）と、付加情報の種類の対応の一例を示す。キーコードの値（６４〜９５）がパス／その他に対して割り当てられ、その（９６〜１２７）が制御／数値・データ関係に対して割り当てられている。例えば（ＩＤ＝９８）の場合では、付加情報がＴＯＣ−ＩＤとされる。ＴＯＣ−ＩＤは、ＣＤ（コンパクトディスク）のＴＯＣ情報に基づいて、最初の曲番号、最後の曲番号、その曲番号、総演奏時間、その曲演奏時間を示すものである。
【００８１】
図１６は、付加情報キーコードの値（１２８〜１５９）と、付加情報の種類の対応の一例を示す。キーコードの値（１２８〜１５９）が同期再生関係に対して割り当てられている。図１６中のＥＭＤ(Electronic Music Distribution）は、電子音楽配信の意味である。
【００８２】
図１７を参照して付加情報のデータの具体例について説明する。図１７Ａは、図１３Ｃと同様に、付加情報のデータ構成を示す。図１７Ｂは、キーコードＩＤ＝３とされる、付加情報がアーティスト名の例である。ＳＩＺＥ＝０ｘ１Ｃ（２８バイト）とされ、ヘッダを含むこの付加情報のデータ長が２８バイトであることが示される。また、Ｃ＋Ｌが文字コードＣ＝０ｘ０１とされ、言語コードＬ＝０ｘ０９とされる。この値は、前述した規定によって、ＡＳＣＩＩの文字コードで、英語の言語であることを示す。そして、先頭から１２バイト目から１バイトデータでもって、「ＳＩＭＯＮ＆ＧＲＡＦＵＮＫＥＬ」のアーティスト名のデータが書かれる。付加情報のサイズは、４バイトの整数倍と決められているので、１バイトの余りが（０ｘ００）とされる。
【００８３】
図１７Ｃは、キーコードＩＤ＝９７とされる、付加情報がＩＳＲＣ(International Standard Recording Code：著作権コード) の例である。ＳＩＺＥ＝０ｘ１４（２０バイト）とされ、この付加情報のデータ長が２０バイトであることが示される。また、Ｃ＋ＬがＣ＝０ｘ００、Ｌ＝０ｘ００とされ、文字、言語の設定が無いこと、すなわち、データが２進数であることが示される。そして、データとして８バイトのＩＳＲＣのコードが書かれる。ＩＳＲＣは、著作権情報（国、所有者、録音年、シリアル番号）を示すものである。
【００８４】
図１７Ｄは、キーコードＩＤ＝９７とされる、付加情報が録音日時の例である。ＳＩＺＥ＝０ｘ１０（１６バイト）とされ、この付加情報のデータ長が１６バイトであることが示される。また、Ｃ＋ＬがＣ＝０ｘ００、Ｌ＝０ｘ００とされ、文字、言語の設定が無いことが示される。そして、データとして４バイト（３２ビット）のコードが書かれ、録音日時（年、月、日、時、分、秒）が表される。
【００８５】
図１７Ｅは、キーコードＩＤ＝１０７とされる、付加情報が再生ログの例である。ＳＩＺＥ＝０ｘ１０（１６バイト）とされ、この付加情報のデータ長が１６バイトであることが示される。また、Ｃ＋ＬがＣ＝０ｘ００、Ｌ＝０ｘ００とされ、文字、言語の設定が無いことが示される。そして、データとして４バイト（３２ビット）のコードが書かれ、再生ログ（年、月、日、時、分、秒）が表される。再生ログ機能を持つものは、１回の再生毎に１６バイトのデータを記録する。
【００８６】
図１８は、１ＳＵがＮバイト（例えばＮ＝３８４バイト）の場合のＡＴＲＡＣ３データファイルＡ３Ｄｎｎｎｎのデータ配列を示す。図１８には、データファイルの属性ヘッダ（１ブロック）と、音楽データファイル（１ブロック）とが示されている。図１８では、この２ブロック（１６×２＝３２Ｋバイト）の各スロットの先頭のバイト（０ｘ００００〜０ｘ７ＦＦ０）が示されている。図１９に分離して示すように、属性ヘッダの先頭から３２バイトがヘッダであり、２５６バイトが曲名領域ＮＭ１（２５６バイト）であり、５１２バイトが曲名領域ＮＭ２（５１２バイト）である。属性ヘッダのヘッダには、下記のデータが書かれる。
【００８７】
ＢＬＫＩＤ−ＨＤ０（４バイト）
意味：BLOCKID FILE ID
機能：ＡＴＲＡＣ３データファイルの先頭であることを識別するための値
値：固定値＝”ＨＤ＝０”（例えば０ｘ４８４４２Ｄ３０）
ＭＣｏｄｅ（２バイト）
意味：MAKER CODE
機能：記録した機器の、メーカー、モデルを識別するコード
値：上位１０ビット（メーカーコード）  下位６ビット（機種コード）
ＢＬＯＣＫ  ＳＥＲＩＡＬ（４バイト）
意味：トラック毎に付けられた連続番号
機能：ブロックの先頭は０から始まり次のブロックは＋１づつインクリメント
編集されても値を変化させない
値：０より始まり０ｘＦＦＦＦＦＦＦＦまで。
【００８８】
Ｎ１Ｃ＋Ｌ（２バイト）
意味：トラック（曲名）データ（ＮＭ１）の属性を表す
機能：ＮＭ１に使用される文字コードと言語コードを各１バイトで表す
値：ＳＮ１Ｃ＋Ｌと同一
Ｎ２Ｃ＋Ｌ（２バイト）
意味：トラック（曲名）データ（ＮＭ２）の属性を表す
機能：ＮＭ２に使用される文字コードと言語コードを各１バイトで表す
値：ＳＮ１Ｃ＋Ｌと同一
ＩＮＦＳＩＺＥ（２バイト）
意味：トラックに関する付加情報の全てを合計したサイズを表す
機能：データサイズを１６バイト単位の大きさで記述、無い場合は必ずオール
ゼロとすること
値：サイズは０ｘ００００から０ｘ３Ｃ６（９６６）
Ｔ−ＰＲＴ（２バイト）
意味：トータルパーツ数
機能：トラックを構成するパーツ数を表す。通常は１
値：１から０ｘ２８５（６４５dec ）
Ｔ−ＳＵ（４バイト）
意味：トータルＳＵ数
機能：１トラック中の実際の総ＳＵ数を表す。曲の演奏時間に相当する
値：０ｘ０１から０ｘ００１ＦＦＦＦＦ
ＩＮＸ（２バイト）（Ｏｐｔｉｏｎ）
意味：INDEX の相対場所
機能：曲のさびの部分（特徴的な部分）の先頭を示すポインタ。曲の先頭からの位置をＳＵの個数を１／４した数で指定する。これは、通常のＳＵの４倍の
長さの時間（約９３ｍ秒）に相当する
値：０から０ｘＦＦＦＦ（最大、約６０８４秒）
ＸＴ（２バイト）（Ｏｐｔｉｏｎ）
意味：INDEX の再生時間
機能：ＩＮＸ-nnnで指定された先頭から再生すべき時間のＳＵの個数を１／４した数で指定する。これは、通常のＳＵの４倍の長さの時間（約９３ｍ秒）に
相当する
値：０ｘ００００：無設定    ０ｘ０１から０ｘＦＦＦＥ（最大６０８４秒）
０ｘＦＦＦＦ：曲の終わりまで。
【００８９】
次に曲名領域ＮＭ１およびＮＭ２について説明する。
【００９０】
ＮＭ１
意味：曲名を表す文字列
機能：１バイトの文字コードで表した可変長の曲名（最大で２５６）
名前データの終了は、必ず終端コード（０ｘ００）を書き込むこと
サイズはこの終端コードから計算すること、データの無い場合は少なくとも先
頭（０ｘ００２０）からヌル（０ｘ００）を１バイト以上記録すること
値：各種文字コード
ＮＭ２
意味：曲名を表す文字列
機能：２バイトの文字コードで表した可変長の名前データ（最大で５１２）
名前データの終了は、必ず終端コード（０ｘ００）を書き込むこと
サイズはこの終端コードから計算すること、データの無い場合は少なくとも先
頭（０ｘ０１２０）からヌル（０ｘ００）を２バイト以上記録すること
値：各種文字コード。
【００９１】
属性ヘッダの固定位置（０ｘ３２０）から始まる、８０バイトのデータをトラック情報領域ＴＲＫＩＮＦと呼び、主としてセキュリティ関係、コピー制御関係の情報を一括して管理する。図２０にＴＲＫＩＮＦの部分を示す。ＴＲＫＩＮＦ内のデータについて、配置順序に従って以下に説明する。
【００９２】
ＣＯＮＴＥＮＴＳ  ＫＥＹ（８バイト）
意味：曲毎に用意された値で、メモリカードのセキュリティブロックで保護さ
れてから保存される
機能：曲を再生する時、まず必要となる最初の鍵となる。ＭＡＣ計算時に使用
される
値：０から０ｘＦＦＦＦＦＦＦＦＦＦＦＦＦＦＦＦまで
ＭＡＣ（８バイト）
意味：著作権情報改ざんチェック値
機能：コンテンツ累積番号を含む複数のＴＲＫＩＮＦの内容と隠しシーケンス
番号から作成される値
隠しシーケンス番号とは、メモリカードの隠し領域に記録されているシーケンス番号のことである。著作権対応でないレコーダは、隠し領域を読むことができない。また、著作権対応の専用のレコーダ、またはメモリカードを読むことを可能とするアプリケーションを搭載したパーソナルコンピュータは、隠し領域をアクセスすることができる。
【００９３】
Ａ（１バイト）
意味：パーツの属性
機能：パーツ内の圧縮モード等の情報を示す
値：図２１を参照して以下に説明する
ただし、Ｎ＝０，１のモノラルは、ｂｉｔ７が１でサブ信号を０、メイン信号（Ｌ＋Ｒ）のみの特別なＪｏｉｎｔモードをモノラルとして規定する。ｂｉｔ
２，１の情報は通常の再生機は無視しても構わない。
【００９４】
Ａのビット０は、エンファシスのオン／オフの情報を形成し、ビット１は、再生ＳＫＩＰか、通常再生かの情報を形成し、ビット２は、データ区分、例えばオーディオデータか、ＦＡＸ等の他のデータかの情報を形成する。ビット３は、未定義である。ビット４、５、６を組み合わせることによって、図示のように、ＡＴＲＡＣ３のモード情報が規定される。すなわち、Ｎは、この３ビットで表されるモードの値であり、モノ（Ｎ＝０，１），ＬＰ（Ｎ＝２），ＳＰ（Ｎ＝４），ＥＸ（Ｎ＝５），ＨＱ（Ｎ＝７）の５種類のモードについて、記録時間（６４ＭＢのメモリカードの場合）、データ転送レート、１ブロック内のＳＵ数がそれぞれ示されている。１ＳＵのバイト数は、（モノ：１３６バイト、ＬＰ：１９２バイト、ＳＰ：３０４バイト、ＥＸ：３８４バイト、ＨＱ：５１２バイト）である。さらに、ビット７によって、ＡＴＲＡＣ３のモード（０：Dual  １：J0int ）が示される。
【００９５】
一例として、６４ＭＢのメモリカードを使用し、ＳＰモードの場合について説明する。６４ＭＢのメモリカードには、３９６８ブロックがある。ＳＰモードでは、１ＳＵが３０４バイトであるので、１ブロックに５３ＳＵが存在する。１ＳＵは、（１０２４／４４１００）秒に相当する。従って、１ブロックは、
（１０２４／４４１００）×５３×（３９６８−１６）＝４８６３秒＝８１分
転送レートは、
（４４１００／１０２４）×３０４×８＝１０４７３７ bps
となる。
【００９６】
ＬＴ（１バイト）
意味：再生制限フラグ（ビット７およびビット６）とセキュリティバージョン
（ビット５〜ビット０）
機能：このトラックに関して制限事項があることを表す
値：ビット７：  ０＝制限なし    １＝制限有り
ビット６：  ０＝期限内      １＝期限切れ
ビット５〜ビット０：セキュリティバージョン０（０以外であれば再生禁
止とする）
ＦＮｏ（２バイト）
意味：ファイル番号
機能：最初に記録された時のトラック番号、且つこの値は、メモリカード内の隠し領域に記録されたＭＡＣ計算用の値の位置を特定する
値：１から０ｘ１９０（４００）
ＭＧ（Ｄ）ＳＥＲＩＡＬ−ｎｎｎ（１６バイト）
意味：記録機器のセキュリティブロック（セキュリティＩＣ２０）のシリアル番号
機能：記録機器ごとに全て異なる固有の値
値：０から0xFFFFFFFFFFFFFFFFFFFFFFFFFFFFFFFF
ＣＯＮＮＵＭ（４バイト）
意味：コンテンツ累積番号
機能：曲毎に累積されていく固有の値で記録機器のセキュリティブロックによって管理される。２の３２乗、４２億曲分用意されており、記録した曲の識別に使用する。
【００９７】
値：０から０ｘＦＦＦＦＦＦＦＦ。
【００９８】
ＹＭＤｈｍｓ−Ｓ（４バイト）（Ｏｐｔｉｏｎ）
意味：再生制限付きのトラックの再生開始日時
機能：ＥＭＤで指定する再生開始を許可する日時
値：上述した日時の表記と同じ
ＹＭＤｈｍｓ−Ｅ（４バイト）（Ｏｐｔｉｏｎ）
意味：再生制限付きのトラックの再生終了日時
機能：ＥＭＤで指定する再生許可を終了する日時
値：上述した日時の表記と同じ
ＭＴ（１バイト）（Ｏｐｔｉｏｎ）
意味：再生許可回数の最大値
機能：ＥＭＤで指定される最大の再生回数
値：１から０ｘＦＦ  未使用の時は、０ｘ００
ＬＴのｂｉｔ７の値が０の場合はＭＴの値は００とすること
ＣＴ（１バイト）（Ｏｐｔｉｏｎ）
意味：再生回数
機能：再生許可された回数の内で、実際に再生できる回数。再生の度にデクリメントする
値：０ｘ００〜０ｘＦＦ  未使用の時は、０ｘ００である
ＬＴのｂｉｔ７が１でＣＴの値が００の場合は再生を禁止すること。
【００９９】
ＣＣ（１バイト）
意味：COPY CONTROL
機能：コピー制御
値：図２２に示すように、ビット６および７によってコピー制御情報を表し、ビット４および５によって高速ディジタルコピーに関するコピー制御情報を表し、ビット２および３によってセキュリティブロック認証レベルを表す。ビッ
ト０および１は、未定義
ＣＣの例：（ｂｉｔ７，６）１１：無制限のコピーを許可、０１：コピー禁止
、００：１回のコピーを許可
（ｂｉｔ３，２）００：アナログないしディジタルインからの録音、ＭＧ認証レベルは０とする
ＣＤからのディジタル録音では（ｂｉｔ７，６）は００、（ｂｉｔ３，２）は
００となる
ＣＮ（１バイト）（Ｏｐｔｉｏｎ）
意味：高速ディジタルコピーＨＳＣＭＳ(High speed Serial Copy Management
System)におけるコピー許可回数
機能：コピー１回か、コピーフリーかの区別を拡張し、回数で指定する。コピ
ー第１世代の場合にのみ有効であり、コピーごとに減算する
値：００：コピー禁止、０１から０ｘＦＥ：回数、０ｘＦＦ：回数無制限。
【０１００】
上述したトラック情報領域ＴＲＫＩＮＦに続いて、０ｘ０３７０から始まる２４バイトのデータをパーツ管理用のパーツ情報領域ＰＲＴＩＮＦと呼び、１つのトラックを複数のパーツで構成する場合に、時間軸の順番にＰＲＴＩＮＦを並べていく。図２３にＰＲＴＩＮＦの部分を示す。ＰＲＴＩＮＦ内のデータについて、配置順序に従って以下に説明する。
【０１０１】
ＰＲＴＳＩＺＥ（４バイト）
意味：パーツサイズ
機能：パーツの大きさを表す。クラスタ：２バイト（最上位）、開始ＳＵ：１バイト（上位）、終了ＳＵ：１バイト（最下位）
値：クラスタ：１から０ｘ１Ｆ４０（８０００）、開始ＳＵ：０から０ｘＡ０（１６０）、終了ＳＵ：０から０ｘＡ０（１６０）（但し、ＳＵの数え方は、０，１，２，と０から開始する）
ＰＲＴＫＥＹ（８バイト）
意味：パーツを暗号化するための値
機能：初期値＝０、編集時は編集の規則に従うこと
値：０から０ｘＦＦＦＦＦＦＦＦＦＦＦＦＦＦＦＦ
ＣＯＮＮＵＭ０（４バイト）
意味：最初に作られたコンテンツ累積番号キー
機能：コンテンツをユニークにするためのＩＤの役割
値：コンテンツ累積番号初期値キーと同じ値とされる。
【０１０２】
ＡＴＲＡＣ３データファイルの属性ヘッダ中には、図１８に示すように、付加情報ＩＮＦが含まれる。この付加情報は、開始位置が固定化されていない点を除いて、再生管理ファイル中の付加情報ＩＮＦ−Ｓ（図１２および図１３Ｂ参照）と同一である。１つまたは複数のパーツの最後のバイト部分（４バイト単位）の次を開始位置として付加情報ＩＮＦのデータが開始する。
【０１０３】
ＩＮＦ
意味：トラックに関する付加情報データ
機能：ヘッダを伴った可変長の付加情報データ。複数の異なる付加情報が並べられることがある。それぞれにＩＤとデータサイズが付加されている。個々のヘッダを含む付加情報データは、最小１６バイト以上で４バイトの整数倍の単位
値：再生管理ファイル中の付加情報ＩＮＦ−Ｓと同じである。
【０１０４】
上述した属性ヘッダに対して、ＡＴＲＡＣ３データファイルの各ブロックのデータが続く。図２４に示すように、ブロック毎にヘッダが付加される。各ブロックのデータについて以下に説明する。
【０１０５】
ＢＬＫＩＤ−Ａ３Ｄ（４バイト）
意味：BLOCKID FILE ID
機能：ＡＴＲＡＣ３データの先頭であることを識別するための値
値：固定値＝”Ａ３Ｄ”（例えば０ｘ４１３３４４２０）
ＭＣｏｄｅ（２バイト）
意味：MAKER CODE
機能：記録した機器の、メーカー、モデルを識別するコード
値：上位１０ビット（メーカーコード）  下位６ビット（機種コード）
ＣＯＮＮＵＭ０（４バイト）
意味：最初に作られたコンテンツ累積番号
機能：コンテンツをユニークにするためのＩＤの役割、編集されても値は変化
させない
値：コンテンツ累積番号初期値キーと同じ値とされる
ＢＬＯＣＫ  ＳＥＲＩＡＬ（４バイト）
意味：トラック毎に付けられた連続番号
機能：ブロックの先頭は０から始まり次のブロックは＋１づつインクリメント
編集されても値を変化させない
値：０より始まり０ｘＦＦＦＦＦＦＦＦまで
ＢＬＯＣＫ−ＳＥＥＤ（８バイト）
意味：１ブロックを暗号化するための１つの鍵
機能：ブロックの先頭は、記録機器のセキュリティブロックで乱数を生成、続くブロックは、＋１インクリメントされた値、この値が失われると、１ブロックに相当する約１秒間、音が出せないために、ヘッダとブロック末尾に同じも
のが二重に書かれる。編集されても値を変化させない
値：初期は８バイトの乱数
ＩＮＩＴＩＡＬＩＺＡＴＩＯＮ  ＶＥＣＴＯＲ（８バイト）
意味：ブロック毎にＡＴＲＡＣ３データを暗号化、復号化する時に必要な初期
値
機能：ブロックの先頭は０から始まり、次のブロックは最後のＳＵの最後の暗号化された８バイトの値。デバイドされたブロックの途中からの場合は開始Ｓ
Ｕの直前の最後の８バイトを用いる。編集されても値を変化させない
値：０から０ｘＦＦＦＦＦＦＦＦＦＦＦＦＦＦＦＦ
ＳＵ−ｎｎｎ
意味：サウンドユニットのデータ
機能：１０２４サンプルから圧縮されたデータ、圧縮モードにより出力されるバイト数が異なる。編集されても値を変化させない（一例として、ＳＰモード
の時では、Ｎ＝３８４バイト）
値：ＡＴＲＡＣ３のデータ値。
【０１０６】
図１８では、Ｎ＝３８４であるので、１ブロックに４２ＳＵが書かれる。また、１ブロックの先頭の２つのスロット（４バイト）がヘッダとされ、最後の１スロット（２バイト）にＢＬＫＩＤ−Ａ３Ｄ、ＭＣｏｄｅ、ＣＯＮＮＵＭ０、ＢＬＯＣＫ  ＳＥＲＩＡＬが二重に書かれる。従って、１ブロックの余りの領域Ｍバイトは、（１６，３８４−３８４×４２−１６×３＝２０８（バイト）となる。
この中に上述したように、８バイトのＢＬＯＣＫ  ＳＥＥＤが二重に記録される。
【０１０７】
次に、上述した管理ファイルと異なるデータ構成の管理ファイル他の例について、説明する。図２５は、メモリカード４０のファイル構成の他の例を全体として示す。音楽用ディレクトリには、トラック情報管理ファイルＴＲＫＬＩＳＴ．ＭＳＦ（以下、単にＴＲＫＬＩＳＴと表記する）と、トラック情報管理ファイルのバックアップＴＲＫＬＩＳＴＢ．ＭＳＦ（以下、単にＴＲＫＬＩＳＴＢと表記する）と、アーチスト名、ＩＳＲＣコード、タイムスタンプ、静止画像データ等の各種付加情報データを記述するＩＮＦＬＩＳＴ．ＭＳＦ（以下、単にＩＮＦＩＳＴと表記する）と、ＡＴＲＡＣ３データファイルＡ３Ｄｎｎｎｎ．ＭＳＡ（以下、単にＡ３Ｄｎｎｎｎと表記する）とが含まれる。ＴＲＫＬＩＳＴには、ＮＡＭＥ１およびＮＡＭＥ２が含まれる。ＮＡＭＥ１は、メモリカード名、曲名ブロック（１バイトコード用）で、ＡＳＣＩＩ／８８５９−１の文字コードにより曲名データを記述する領域である。ＮＡＭＥ２は、メモリカード名、曲名ブロック（２バイトコード用）で、ＭＳ−ＪＩＳ／ハングル語／中国語等により曲名データを記述する領域である。
【０１０８】
図２６は、音楽用ディレクトリのトラック情報管理ファイルＴＲＫＬＩＳＴと、ＮＡＭＥ１および２と、ＡＴＲＡＣ３データファイルＡ３Ｄｎｎｎｎ間の関係を示す。ＴＲＫＬＩＳＴは、全体で６４Ｋバイト（＝１６Ｋ×４）の固定長で、その内の３２Ｋバイトがトラックを管理するパラメータを記述するのに使用され、残りの３２ＫバイトがＮＡＭＥ１および２を記述するのに使用される。曲名等を記述したファイルＮＡＭＥ１および２は、トラック情報管理ファイルと別扱いでも実現できるが、ＲＡＭ容量の小さいシステムは、トラック情報管理ファイルと曲名ファイルとを分けない方が管理ファイルをまとめて管理することができ、操作しやすくなる。
【０１０９】
トラック情報管理ファイルＴＲＫＬＩＳＴ内のトラック情報領域ＴＲＫＩＮＦ−ｎｎｎｎおよびパーツ情報領域ＰＲＴＩＮＦ−ｎｎｎｎによって、データファイルＡ３Ｄｎｎｎｎおよび付加情報用のＩＮＦＬＩＳＴが管理される。なお、暗号化の処理を受けるのは、ＡＴＲＡＣ３データファイルＡ３Ｄｎｎｎｎのみである。図２６中で、横方向が１６バイト（０〜Ｆ）であり、縦方向に１６進数（０ｘか１６進数を意味する）でその行の先頭の値が示されている。
【０１１０】
他の例では、トラック情報管理ファイルＴＲＫＬＩＳＴ（曲名ファイルを含む）と、付加情報管理ファイルＩＮＦＬＩＳＴと、データファイルＡ３Ｄｎｎｎｎとの３個のファイルの構成とされ、ＴＲＫＬＩＳＴによってＩＮＦＬＩＳＴおよびＡ３Ｄｎｎｎｎが管理される。前述したデータ構成の一例（図６、図７および図８）では、メモリカードの全体を管理する再生管理ファイルＰＢＬＩＳＴと、各トラック（曲）のデータファイルＡＴＲＡＣ３との２種類のファイルの構成とされる。
【０１１１】
以下、データ構成の他の例について説明するが、上述したデータ構成の一例と同一の点については、その説明を省略することにする。
【０１１２】
図２７は、トラック情報管理ファイルＴＲＫＬＩＳＴのより詳細な構成を示す。トラック情報管理ファイルＴＲＫＬＩＳＴは、１クラスタ（１ブロック）＝１６ＫＢのサイズで、その後に続くバックアップ用のＴＲＫＬＩＳＴＢも同一サイズ、同一データのものである。トラック情報管理ファイルは、先頭から３２バイトがヘッダである。ヘッダには、上述した再生管理ファイルＰＢＬＩＳＴ中のヘッダと同様に、ＢＬＫＩＤ−ＴＬ０／ＴＬ１（バックアップファイルのＩＤ）（４バイト）、総トラック数Ｔ−ＴＲＫ（２バイト）、メーカーコードＭＣｏｄｅ（２バイト）、ＴＲＫＬＩＳＴの書き換え回数ＲＥＶＩＳＩＯＮ（４バイト）、更新日時のデータＳ−ＹＭＤｈｍｓ（４バイト）（Ｏｐｔｉｏｎ）が書かれる。
これらのデータの意味、機能、値は、前述した通りである。これらのデータ以外に下記のデータが書かれる。
【０１１３】
ＹＭＤｈｍｓ（４バイト）
最後にＴＲＫＬＩＳＴが更新された年月日
Ｎ１（１バイト）（Ｏｐｔｉｏｎ）
メモリカードの連番号（分子側）で、１枚使用時はすべて（０ｘ０１）
Ｎ２（１バイト）（Ｏｐｔｉｏｎ）
メモリカードの連番号（分母側）で、１枚使用時はすべて（０ｘ０１）
ＭＳＩＤ（２バイト）（Ｏｐｔｉｏｎ）
メモリカードのＩＤで、複数組の時は、ＭＳＩＤが同一番号（Ｔ．Ｂ．Ｄ．）（Ｔ．Ｂ．Ｄ．は、将来定義されうることを意味する）
Ｓ−ＴＲＫ（２バイト）
特別トラック（４０１〜４０８）の記述（Ｔ．Ｂ．Ｄ．）で、通常は、０ｘ００００
ＰＡＳＳ（２バイト）（Ｏｐｔｉｏｎ）
パスワード（Ｔ．Ｂ．Ｄ．）
ＡＰＰ（２バイト）（Ｏｐｔｉｏｎ）
再生アプリケーションの規定（Ｔ．Ｂ．Ｄ．）（通常は、０ｘ００００）
ＩＮＦ−Ｓ（２バイト）（Ｏｐｔｉｏｎ）
メモリカード全体の付加情報ポインタであり、付加情報がないときは、０ｘ００とする。
【０１１４】
ＴＲＫＬＩＳＴの最後の１６バイトとして、ヘッダ内のものと同一のＢＬＫＩＤ−ＴＬ０と、ＭＣｏｄｅと、ＲＥＶＩＳＩＯＮとが配される。また、バックアップ用のＴＲＫＬＩＳＴＢにも上述したヘッダが書かれる。この場合、ＢＬＫＩＤ−ＴＬ１と、ＭＣｏｄｅと、ＲＥＶＩＳＩＯＮとが配される。
【０１１５】
ヘッダの後にトラック（曲）ごとの情報を記述するトラック情報領域ＴＲＫＩＮＦと、トラック（曲）内のパーツの情報を記述するパーツ情報領域ＰＲＴＩＮＦが配置される。図２７では、ＴＲＫＬＩＳＴの部分に、これらの領域が全体的に示され、下側のＴＲＫＬＩＳＴＢの部分にこれらの領域の詳細な構成が示されている。また、斜線で示す領域は、未使用の領域を表す。
【０１１６】
トラック情報領域ＴＲＫＩＮＦ−ｎｎｎおよびパーツ情報領域ＰＲＴＩＮＦ−ｎｎｎに、上述したＡＴＲＡＣ３データファイルに含まれるデータが同様に書かれる。すなわち、再生制限フラグＬＴ（１バイト）、コンテンツキーＣＯＮＴＥＮＴＳ  ＫＥＹ（８バイト）、記録機器のセキュリティブロックのシリアル番号ＭＧ（Ｄ）ＳＥＲＩＡＬ（１６バイト）、曲の特徴的部分を示すためのＸＴ（２バイト）（Ｏｐｔｉｏｎ）およびＩＮＸ（２バイト）（Ｏｐｔｉｏｎ）、再生制限情報およびコピー制御に関連するデータＹＭＤｈｍｓ−Ｓ（４バイト）（Ｏｐｔｉｏｎ）、ＹＭＤｈｍｓ−Ｅ（４バイト）（Ｏｐｔｉｏｎ）、ＭＴ（１バイト）（Ｏｐｔｉｏｎ）、ＣＴ（１バイト）（Ｏｐｔｉｏｎ）、ＣＣ（１バイト）、ＣＮ（１バイト）（Ｏｐｔｉｏｎ）、パーツの属性を示すＡ（１バイト）、パーツサイズＰＲＴＳＩＺＥ（４バイト）、パーツキーＰＲＴＫＥＹ（８バイト）、コンテンツ累積番号ＣＯＮＮＵＭ（４バイト）が書かれている。これらのデータの意味、機能、値は、前述した通りである。これらのデータ以外に下記のデータが書かれる。
【０１１７】
Ｔ０（１バイト）
固定値（Ｔ０＝０ｘ７４）
ＩＮＦ−ｎｎｎ（Ｏｐｔｉｏｎ）（２バイト）
各トラックの付加情報ポインタ（０〜４０９）、００：付加情報がない曲の意味
ＦＮＭ−ｎｎｎ（４バイト）
ＡＴＲＡＣ３データのファイル番号（０ｘ００００〜０ｘＦＦＦＦ）
ＡＴＲＡＣ３データファイル名（Ａ３Ｄｎｎｎｎｎ）のｎｎｎｎｎ  （ＡＳＣＩＩ）番号を０ｘｎｎｎｎｎに変換した値
ＡＰＰ ＣＴＬ（４バイト）（Ｏｐｔｉｏｎ）
アプリケーション用パラメータ（Ｔ．Ｂ．Ｄ．）（通常、０ｘ００００）
Ｐ−ｎｎｎ（２バイト）
曲を構成するパーツ数（１〜２０３９）で、前述のＴ−ＰＡＲＴに対応する
ＰＲ（１バイト）
固定値（ＰＲ＝０ｘ５０）。
【０１１８】
次に、名前をまとめて管理する名前の領域ＮＡＭＥ１およびＮＡＭＥ２について説明する。図２８は、ＮＡＭＥ１（１バイトコードを使用する領域）のより詳細なデータ構成を示す。ＮＡＭＥ１および後述のＮＡＭＥ２は、ファイルの先頭から８バイト単位で区切られ、１スロット＝８バイトとされている。先頭の０ｘ８０００には、ヘッダが書かれ、その後ろにポインタおよび名前が記述される。
ＮＡＭＥ１の最後のスロットにヘッダと同一データが記述される。
【０１１９】
ＢＬＫＩＤ−ＮＭ１（４バイト）
ブロックの内容を特定する固定値（ＮＭ１＝０ｘ４Ｅ４Ｄ２Ｄ３１）
ＰＮＭ１−ｎｎｎ（４バイト）（Ｏｐｔｉｏｎ）
ＮＭ１（１バイトコード）へのポインタ
ＰＮＭ１−Ｓは、メモリカードを代表する名前のポインタ
ｎｎｎ（＝１〜４０８）は、曲名のポインタ
ポインタは、ブロック内の開始位置（２バイト）と文字コードタイプ（２ビット）とデータサイズ（１４ビット）を記述
ＮＭ１−ｎｎｎ（Ｏｐｔｉｏｎ）
１バイトコードで、メモリカード名、曲名データを可変長で記述
名前データの終端コード（０ｘ００）を書き込む。
【０１２０】
図２９は、ＮＡＭＥ２（２バイトコードを使用する領域）のより詳細なデータ構成を示す。先頭（０ｘ８０００）には、ヘッダが書かれ、ヘッダの後ろにポインタおよび名前が記述される。ＮＡＭＥ２の最後のスロットにヘッダと同一データが記述される。
【０１２１】
ＢＬＫＩＤ−ＮＭ２（４バイト）
ブロックの内容を特定する固定値（ＮＭ２＝０ｘ４Ｅ４Ｄ２Ｄ３２）
ＰＮＭ２−ｎｎｎ（４バイト）（Ｏｐｔｉｏｎ）
ＮＭ２（２バイトコード）へのポインタ
ＰＮＭ２−Ｓは、メモリカードを代表する名前のポインタ
ｎｎｎ（＝１〜４０８）は、曲名のポインタ
ポインタは、ブロック内の開始位置（２バイト）と文字コードタイプ（２ビット）とデータサイズ（１４ビット）を記述
ＮＭ２−ｎｎｎ（Ｏｐｔｉｏｎ）
２バイトコードで、メモリカード名、曲名データを可変長で記述
名前データの終端コード（０ｘ００００）を書き込む。
【０１２２】
図３０は、１ＳＵがＮバイトの場合のＡＴＲＡＣ３データファイルＡ３Ｄｎｎｎｎのデータ配列（１ブロック分）を示す。このファイルは、１スロット＝８バイトである。図３０では、各スロットの先頭（０ｘ００００〜０ｘ３ＦＦ８）の値が示されている。ファイルの先頭から４個のスロットがヘッダである。前述したデータ構成の一例におけるデータファイル（図１８参照）の属性ヘッダに続くデータブロックと同様に、ヘッダが設けられる。すなわち、このヘッダには、ＢＬＫＩＤ−Ａ３Ｄ（４バイト）、メーカーコードＭＣｏｄｅ（２バイト）、暗号化に必要なＢＬＯＣＫ  ＳＥＥＤ（８バイト）、最初に作られたコンテンツ累積番号ＣＯＮＮＵＭ０（４バイト）、トラック毎の連続番号ＢＬＯＣＫ  ＳＥＲＩＡＬ（４バイト）、暗号化／復号化に必要なＩＮＩＴＩＡＬＩＺＡＴＩＯＮ  ＶＥＣＴＯＲ（８バイト）が書かれる。なお、ブロックの最後の一つ前のスロットに、ＢＬＯＣＫ  ＳＥＥＤが二重記録され、最後のスロットにＢＬＫＩＤ−Ａ３ＤおよびＭＣｏｄｅが記録される。そして、前述したデータ構成の一例と同様に、ヘッダの後にサウンドユニットデータＳＵ−ｎｎｎｎが順に配される。
【０１２３】
図３１は、付加情報を記述するための付加情報管理ファイルＩＮＦＬＩＳＴのより詳細なデータ構成を示す。他のデータ構成においては、このファイルＩＮＦＬＩＳＴの先頭（０ｘ００００）には、下記のヘッダが記述される。ヘッダ以降にポインタおよびデータが記述される。
【０１２４】
ＢＬＫＩＤ−ＩＮＦ（４バイト）
ブロックの内容を特定する固定値（ＩＮＦ＝０ｘ４９４Ｅ４６４Ｆ）
Ｔ−ＤＡＴ（２バイト）
総データ数を記述（０〜４０９）
ＭＣｏｄｅ（２バイト）
記録した機器のメーカーコード
ＹＭＤｈｍｓ（４バイト）
記録更新日時
ＩＮＦ−ｎｎｎ（４バイト）
付加情報のＤＡＴＡ（可変長、２バイト（スロット）単位）へのポインタ
開始位置は、上位１６ビットで示す（００００〜ＦＦＦＦ）
ＤａｔａＳｌｏｔ−００００の（０ｘ０８００）先頭からのオフセット値（スロット単位）を示す
データサイズは、下位１６ビットで示す（０００１〜７ＦＦＦ）（最上位ビットＭＳＢに無効フラグをセットする。ＭＳＢ＝０（有効を示す）、ＭＳＢ＝１（無効を示す）
データサイズは、その曲のもつ総データ数を表す
（データは、各スロットの先頭から始まり、データの終了後は、スロットの終わりまで００を書き込むこと）
最初のＩＮＦは、アルバム全体の持つ付加情報を示すポインタ（通常ＩＮＦ−４０９で示される）。
【０１２５】
図３２は、付加情報データの構成を示す。一つの付加情報データの先頭に８バイトのヘッダが付加される。この付加情報の構成は、上述したデータ構成の一例における付加情報の構成（図１３Ｃ参照）と同様のものである。すなわち、ＩＤとしてのＩＮ（１バイト）、キーコードＩＤ（１バイト）、個々の付加情報の大きさを示すＳＩＺＥ（２バイト）、メーカーコードＭＣｏｄｅ（２バイト）が書かれる。さらに、ＳＩＤ（１バイト）は、サブＩＤである。
【０１２６】
上述したこの発明の一実施形態では、メモリカードのフォーマットとして規定されているファイルシステムとは別に音楽用データに対するトラック情報管理ファイルＴＲＫＬＩＳＴを使用するので、ＦＡＴが何らかの事故で壊れても、ファイルを修復することが可能となる。図３３は、ファイル修復処理の流れを示す。ファイル修復のためには、ファイル修復プログラムで動作し、メモリカードをアクセスできるコンピュータ（ＤＳＰ３０と同様の機能を有するもの）と、コンピュータに接続された記憶装置（ハードディスク、ＲＡＭ等）とが使用される。最初のステップ１０１では、次の処理がなされる。なお、図２５〜図３２を参照して説明したトラック管理ファイルＴＲＫＬＩＳＴに基づいてファイルを修復する処理を説明する。
【０１２７】
ＦＡＴが壊れたフラッシュメモリの全ブロックを探索し、ブロックの先頭の値（ＢＬＫＩＤ）がＴＬ−０を探す。このフラッシュメモリの全ブロックを探索し、ブロックの先頭の値（ＢＬＫＩＤ）がＴＬ−１を探す。このフラッシュメモリの全ブロックを探索し、ブロックの先頭の値（ＢＬＫＩＤ）がＮＭ−１を探す。このフラッシュメモリの全ブロックを探索し、ブロックの先頭の値（ＢＬＫＩＤ）がＮＭ−２を探す。この４ブロック（トラック情報管理ファイル）の全内容は、修復用コンピュータによって例えばハードディスクに収集する。
【０１２８】
トラック情報管理ファイルの先頭から４バイト目以降のデータから総トラック数ｍの値を見つけ把握しておく。トラック情報領域ＴＲＫＩＮＦ−００１の先頭から２０バイト目、１曲目のＣＯＮＮＵＭ−００１とそれに続くＰ−００１の値を見つける。Ｐ−００１の内容から構成されるパーツの総数を把握し、続くＰＲＴＩＮＦの中のトラック１を構成する全てのＰＲＴＳＩＺＥの値を見つけ出し、それらを合計した総ブロック（クラスタ）数ｎを計算し、把握しておく。
【０１２９】
トラック情報管理ファイルは見つかったので、ステップ１０２では、音のデータファイル（ＡＴＲＡＣ３データファイル）を探索する。フラッシュメモリの管理ファイル以外の全ブロックを探索し、ＡＴＲＡＣ３データファイルであるブロックの先頭の値（ＢＬＫＩＤ）がＡ３Ｄのブロック群の収集を開始する。
【０１３０】
Ａ３Ｄｎｎｎｎの中で先頭から１６バイト目に位置するＣＯＮＮＵＭ０の値がトラック情報管理ファイルの１曲目のＣＯＮＮＵＭ−００１と同一で、２０バイト目からのＢＬＯＣＫ  ＳＥＲＩＡＬの値が０のものを探し出す。これが見つかったら、次のブロック（クラスタ）として同一のＣＯＮＮＵＭ０の値で、２０バイト目からのＢＬＯＣＫ  ＳＥＲＩＡＬの値が＋１されたもの（１＝０＋１）を探し出す。これが見つかったら、同様に、次のブロック（クラスタ）として同一のＣＯＮＮＵＭ０の値で、２０バイト目からのＢＬＯＣＫ  ＳＥＲＩＡＬの値が＋１されたもの（２＝１＋１）を探し出す。
【０１３１】
この処理を繰り返して、トラック１の総クラスタであるｎ個になるまでＡＴＲＡＣ３データファイルを探す。全てが見つかったら、探したブロック（クラスタ）の内容を全てハードディスクに順番に保存する。
【０１３２】
次のトラック２に関して、上述したトラック１に関する処理を行う。すなわち、ＣＯＮＮＵＭ０の値がトラック情報管理ファイルの１曲目のＣＯＮＮＵＭ−００２と同一で、２０バイト目からのＢＬＯＣＫ  ＳＥＲＩＡＬの値が０のものを探し出し、以下、トラック１の場合と同様に、最後のブロック（クラスタ）ｎ’までＡＴＲＡＣ３データファイルを探し出す。全てが見つかったら、探したブロック（クラスタ）の内容を全て外部のハードディスクに順番に保存する。
【０１３３】
全トラック（トラック数ｍ）について、以上の処理を繰り返すことによって、全てのＡＴＲＡＣ３データファイルが修復用コンピュータが管理する外部のハードディスクに収集される。
【０１３４】
そして、ステップ１０３では、ＦＡＴが壊れたメモリカードを再度初期化し、ＦＡＴを再構築し、所定のディレクトリを作り、トラック情報管理ファイルと、ｍトラック分のＡＴＲＡＣ３データファイルをハードディスク側からメモリカードへコピーする。これによって、修復作業が完了する。
【０１３５】
なお、管理ファイル、データファイルにおいて、重要なパラメータ（主としてヘッダ内のコード）を二重に限らず、三重以上記録しても良く、重要なパラメータに対して専用のエラー訂正符号の符号化を行うようにしても良い。また、このように多重記録する場合の位置は、ファイルの先頭および末尾の位置に限らず、１ページ単位以上離れた位置であれば有効である。
【０１３６】
この発明は、メモリカードから再生したデータファイル（ＡＴＲＡＣ３ファイル）に、再生回数に関する再生制限情報があるとき、１回の再生を定義し、規定の再生回数に達したら、以降の再生動作を禁止することができるものである。以下、図２５〜図３２を参照して説明したトラック管理ファイルＴＲＫＬＩＳＴに基づいて再生制限に関連する部分をより詳細に説明する。ただし、以下の説明は、ＡＴＲＡＣ３データファイルの属性ヘッダ中のトラック情報ＴＲＫＩＮＦ中の再生制限情報に関連する部分を使用しても同様に適用することができる。
【０１３７】
図３４は、上述したディジタルオーディオレコーダの内で、この発明と関連する部分の構成を概略的に示す。ＤＳＰ３０、メモリカード４０、ＣＰＵ９０、操作入力部９１、ＳＲＡＭ３１（または３６）、オーディオデコーダ１２、インターフェース１１およびＤ／Ａ変換回路１８が関連する構成要素である。以下、ＣＰＵ９０および操作入力部９１は、前述したバス３２を介して外部に接続されたアンプ等に設けられているもので、このＣＰＵ９０および操作入力部９１により各種指示やシステム全体の制御がなされる。また、後述する動作は、ＤＳＰ３０もしくはＣＰＵ９０によるソフトウェア的な処理により実現される。
【０１３８】
操作入力部９１には、通常再生ボタン、停止ボタン、早送りボタン、一時停止ボタン、巻き戻しボタン、自動選曲ボタン等が配設されている。自動選曲動作は、メモリカード４０に記録されている曲（トラック）を自動的に選曲するもので、ファイル検索動作の一つである。操作入力部９１において、各スイッチおよびボタンの状態に応じた操作信号が形成される。この操作信号がＣＰＵ９０に供給される。操作入力部９１からの操作信号に応じた制御信号によって、再生動作等の動作がなされる。
【０１３９】
メモリカード４０がレコーダに装着されると、または再生ボタンが押されると、装着されたメモリカードが正規のものであるか否かの認証がなされ、認証が完了すると、メモリカード４０のフラッシュメモリからトラック情報管理ファイルＴＲＫＬＩＳＴ．ＭＳＦがＤＳＰ３０によって、ＳＲＡＭ３１または３６に読み込まれる。トラック情報管理ファイルＴＲＫＬＩＳＴ．ＭＳＦ中の再生制限値群８１がＳＲＡＭ３１または３６に読み込まれる。
【０１４０】
また、ＤＳＰ３０は、再生時にメモリカード４０から読み出したオーディオファイルを１ＳＵ単位でオーディオデコーダ１２に転送し、復号する。この場合、暗号化されたオーディオファイルが復号されるが、図３４では、暗号化のための構成要素が省略されている。復号出力がインターフェース回路１１を介してＤ／Ａ変換回路１８に供給される。そして、Ｄ／Ａ変換回路１８において、再生音声信号が形成され、この再生音声信号が出力端子１９を介して取り出され、図示せずも他のアンプ等に供給されて音声として再生される。
【０１４１】
ＤＳＰ３０において、再生開始日、再生期限日、トラックの再生回数ＣＴ、改ざん検出フラグ等に基づいて、再生動作の許可／禁止が制御される。また、これらの再生制限情報の改ざんの有無が検出され、改ざんを検出した時には、再生動作が禁止される。例えば、再生回数が許可された再生制限回数より小であり、且つ改ざんが検出されない場合に、再生動作が許可される。
【０１４２】
一方、改ざんが検出された場合には、ＤＳＰ３０において制御情報が形成されて再生が禁止される。また、改ざんが検出されなくとも、再生した回数が再生制限回数以上であると、再生が禁止される。このように、再生回数が再生制限回数に達しているかどうかを決定する場合には、ＤＳＰ３０が１回の再生を定義する必要がある。
【０１４３】
このために、ＤＳＰ３０は、オーディオデコーダ１２に転送した再生データのＳＵ数を再生時間に換算し、同一トラック（同一の音楽ファイル）に関する再生時間の累積時間が所定時間に到達した時に１回の再生がなされたものとみなす。例えばあるモードでは、５１個のＳＵが１秒に相当するので、３０秒の再生時間を１回の再生とみなす設定では、５１×３０＝１５３０個のＳＵがオーディオデコーダ１２に転送された時に、１回の再生がされたと扱われる。
【０１４４】
１回の再生がされると、ＳＲＡＭ３１または３６上の再生回数ＣＴをデクリメントして（ＣＴ＝ＣＴ−１）とする。また、再生指令がＣＰＵ９０を介して与えられた時に、再生回数ＣＴによってハッシュ値を再計算し、得られた今回のハッシュ値と、以前計算された前回ハッシュ値とが比較され、両者の一致が検出される。一致している場合には、再生制限情報としての再生回数ＣＴが改ざんされてないと決定され、不一致の場合には、改ざんされているおそれがあると決定される。改ざんされてないと決定された時には、上述したように、再生動作がなされ、再生回数ＣＴがデクリメントされる。ハッシュ値は、メモリカード４０が抜かれてから装着された場合、または電源がオフされた場合には、再生に先立って計算され、暗号化回路２２の不揮発性メモリ中の外部から見えない領域に保持される。すなわち、ハッシュ値自身を読み出すことができず、比較結果のみをＤＳＰ３０が受け取ることができる。なお、この発明では、改ざんの有無を検出する処理は、必ずしも必要ではない。
【０１４５】
また、再生途中において操作入力部９１の操作によって、早送り動作、巻き戻し動作または再生動作の一時停止動作がなされる場合には、再生対象とされるトラックの再生時間の計数が一時停止され、待機状態とされる。また、再生途中で、停止動作または自動選曲動作が指示される場合には、再生対象とされるトラックの再生時間の計数がリセットされる。
【０１４６】
上述した一実施形態の再生動作についてさらに具体的に詳細に説明する。図３５は、例えば、３０秒程度の再生がなされた時点で一回の再生となみす再生動作の処理手順を示す。
【０１４７】
先ず、ステップＳ１において、再生指示がなされたかどうかの判定が継続してなされる。再生指示がなされると、ＳＲＡＭ３１または３６上のトラック情報管理ファイルＴＲＫＬＩＳＴを参照して、そのトラック（音楽）ファイルが制限付き再生かどうか決定される（ステップＳ２）。再生対象とされるトラックが制限付き再生でないと決定される場合には、ステップＳ９に移行し、通常再生がなされる。
【０１４８】
制限付き再生であると決定される場合には、ステップＳ３において、前回までの再生回数ＣＴがセットされると共に、ＤＳＰ３０からオーディオデコーダ１２に転送されるＳＵ（サウンドユニット）値ｍが（ｍ＝０）にセットされる。前回までの再生回数ＣＴは、ＳＲＡＭ３１または３６上のトラック情報管理ファイルＴＲＫＬＩＳＴに記録されている。また、ＳＵ値ｍは、ＳＲＡＭ３１または３６上の所定領域に記録されている。なお、ハッシュ値による改ざんチェックは、ステップＳ２とＳ３との間で行われる。
【０１４９】
ステップＳ３に続くステップＳ４において、メモリカード４０からオーディオファイルが読み出され、ＤＳＰ３０を介してこのデータが１ＳＵ毎にオーディオデコーダ１２に転送される。オーディオデコーダ１２に転送されたデータは、オーディオデコーダ１２において復号され、この復号出力がインターフェース回路１１を介してＤ／Ａ変換回路１８に供給される。そして、Ｄ／Ａ変換回路１８からの再生音声信号が出力端子１９を介して取り出され、図示せずも他のアンプ等に供給されて音声として再生される。
【０１５０】
再生処理に並行してＣＰＵ９０により操作入力部９１の操作状態が監視され、再生ボタン以外のボタンが押されたかどうかがステップＳ５において決定される。ステップＳ５において、再生指示のままであると決定されると、ステップＳ１１において、転送ＳＵ数ｍをカウントする。つまり、転送ＳＵ数ｍをインクリメント（ｍ＝ｍ＋１）する。
【０１５１】
そして、ステップＳ１２において、転送ＳＵ数ｍが１５００（約３０秒）を越えたかどうか決定される。転送ＳＵ数ｍが１５００を越えないと決定される場合には、再びステップＳ４の処理がなされ、次の１ＳＵが転送される。このように再生ボタン以外のボタンが押されず、再生指示のままで、然も、転送ＳＵ数ｍが１５００に満たない場合には、繰り返して上述した転送ＳＵ数のインクリメントがなされる。
【０１５２】
若し、ステップＳ１２において、転送ＳＵ数ｍが１５００を越えたと決定されると、ステップＳ１４において、１回の再生がなされたとみなされ、再生回数ＣＴがデクリメントされて（ＣＴ＝ＣＴ−１）とされると共に、転送ＳＵ（サウンドユニット）値ｍが（ｍ＝０）にリセットされる。このデクリメントした値ＣＴ−１は、メモリカード４０のトラック情報管理ファイルに戻されて、ＣＴの値が記録しなおされる。
【０１５３】
ステップＳ１４の処理が完了すると、ステップＳ１５において、デクリメントした後の再生回数ＣＴが０かどうか決定される。再生回数ＣＴが（ＣＴ＝０）である場合には、ステップＳ１６において再生禁止動作がなされる。つまり、ＤＳＰ３０によって再生禁止とする制御情報が形成されて各部に供給される。この場合、再生回数ＣＴが設定回数に達したために再生動作が禁止される旨のメッセージが音声、または表示で利用者に告知される。若し、ステップＳ１５において、（ＣＴ＝０）でないと決定されると、再生回数に関する処理が終了し、そのまま再生処理がなされる。
【０１５４】
若し、ステップＳ５において、再生ボタン以外のボタンが押されることによって、再生以外の動作の指示がなされたと判定される場合には、ステップＳ６において、早送りボタンまたは巻き戻しボタンが押され、早送り再生動作または巻き戻し再生が指示されたかどうかが決定される。同様に、ステップＳ６において、一時停止動作が指示されたかどうかが決定がなされる。早送り動作、巻き戻し動作または一時停止動作が指示されると、ステップＳ７に移行し、転送ＳＵ数ｍの値が保持され、再びステップＳ５に処理が戻る。
【０１５５】
若し、ステップＳ６において、早送り動作、巻き戻し動作または一時停止動作が指示されたと決定されない場合には、ステップＳ８において、停止動作または自動選曲動作が指示されたかどうか決定される。自動選曲動作が指示されることは、現に再生しているトラックから次のトラックの再生に移る動作である。従って、自動選曲動作が指示されていると、ＣＰＵ９０からＤＳＰ３０に対して再生要求が送信される。従って、ステップＳ１において、自動選曲に基づく再生指示がなされたものと決定される。ステップＳ８において、停止動作または自動選曲動作でないと決定されると、再生回数の処理が終了する。
【０１５６】
なお、上述した具体例においては、再生動作がなされる度にトラックの再生回数ＣＴを一つずつデクリメントして（ＣＴ＝０）となる時に、再生を禁止する場合について説明したが、ＣＴを実際の再生回数のカウント値として再生動作がなされる度にＣＴの値を０から＋１ずつインリメントして再生条件付きのトラックの再生許可回数ＭＴと等しくなった（ＭＴ＝ＣＴ）の時に、再生を禁止するようにしても良い。さらに、ＣＴを設けずに、ＭＴを１回の再生毎に１づつ減らしても良い。また、再生回数ＣＴ、再生許可回数ＭＴの値は、上述した処理で変更され、メモリカード４０を取り外す時、または電源をオフする時に、メモリカード４０のトラック情報管理ファイルＴＲＫＬＩＳＴに書き戻される。
【０１５７】
また、上述した一実施形態におていは、転送ＳＵ数ｍが１５００（約３０秒）を越えた時に再生１回とみなす場合について説明したが、特にその再生時間の数値に限定されず、また、他の時間単位を用いて再生時間を計数するようにしても良い。
【０１５８】
なお、上述した説明においては、ディジタルオーディオレコーダにこの発明を適用した場合について説明したが、他の映像・音響機器に容易に適用することができる。
【０１５９】
【発明の効果】
この発明は、再生制限回数を有するコンテンツに関して、正規の再生時間の累積時間が所定時間を越えたら、１回の再生と定義し、定義された再生回数と再生制限回数とを照合し、再生制限回数に到達するまでの再生が可能である。従って、再生制限が付いたコンテンツを再生することができる。
【図面の簡単な説明】
【図１】この発明の一実施形態の全体的構成を示すブロック図である。
【図２】この発明の一実施形態におけるＤＳＰの構成を示すブロック図である。
【図３】この発明の一実施形態におけるメモリカードの構成を示すブロック図である。
【図４】この発明の一実施形態におけるフラッシュメモリのファイルシステム処理階層の構成を示す略線図である。
【図５】この発明の一実施形態におけるフラッシュメモリのデータの物理的構成のフォーマットを示す略線図である。
【図６】この発明の一実施形態におけるファイルの規定を示す略線図である。
【図７】この発明の一実施形態における再生管理ファイルのデータ構成を概略的に示す略線図である。
【図８】この発明の一実施形態におけるデータファイルのデータ構成を概略的に示す略線図である。
【図９】この発明の一実施形態におけるデータファイルの構成を示す略線図である。
【図１０】この発明の一実施形態におけるデータファイルの編集処理の一例を示す略線図である。
【図１１】この発明の一実施形態におけるデータファイルの編集処理の他の例を示す略線図である。
【図１２】この発明の一実施形態における再生管理ファイルの構成を示す略線図である。
【図１３】再生管理ファイルの部分と付加情報領域の構成を示す略線図である。
【図１４】この発明の一実施形態における付加情報の例を示す略線図である。
【図１５】この発明の一実施形態における付加情報の例を示す略線図である。
【図１６】この発明の一実施形態における付加情報の例を示す略線図である。
【図１７】この発明の一実施形態における付加情報の具体的なデータ構成を示す略線図である。
【図１８】この発明の一実施形態におけるデータファイルの構成を示す略線図である。
【図１９】データファイルの属性ヘッダの一部を示す略線図である。
【図２０】データファイルの属性ヘッダの一部を示す略線図である。
【図２１】この発明の一実施形態における録音モードの種類と、各録音モードにおける録音時間等を示す略線図である。
【図２２】この発明の一実施形態におけるコピー制御情報を説明するための略線図である。
【図２３】データファイルの属性ヘッダの一部を示す略線図である。
【図２４】データファイルの各データブロックのヘッダを示す略線図である。
【図２５】この発明に使用できるファイルの他のデータ構成の規定を示す略線図である。
【図２６】他のデータ構成におけるファイル間の関係を示す略線図である。
【図２７】他のデータ構成におけるトラック管理ファイルの構成を示す略線図である。
【図２８】他のデータ構成におけるトラック管理ファイル中の名前ファイルの構成を示す略線図である。
【図２９】他のデータ構成におけるトラック管理ファイル中の名前ファイルの構成を示す略線図である。
【図３０】他のデータ構成におけるデータファイルの構成を示す略線図である。
【図３１】他のデータ構成における付加情報管理ファイルの構成を示す略線図である。
【図３２】他のデータ構成における付加情報データの構成を示す略線図である。
【図３３】ファイル修復処理の流れを説明するための略線図である。
【図３４】この発明の一実施形態の構成を示すブロック図である。
【図３５】この発明の一実施形態の動作説明に用いるフローチャートである。
【符号の説明】
１２・・・オーディオデコーダ、３０・・・ＤＳＰ、４０・・・メモリカード、８１・・・再生制限値群（再生回数ＣＴ，再生許可回数ＭＴ等）、８２・・・転送ＳＵ数ｍ、９０・・・ＣＰＵ、９１・・・操作入力部、ＴＲＫＬＩＳＴ．ＭＳＦ・・・トラック情報管理ファイル、ＩＮＦＬＩＳＴ．ＭＳＦ・・・付加情報管理ファイル、Ａ３Ｄｎｎｎ．ＭＳＡ・・・オーディオデータファイル
【図１】
0004749522.tif 000002
【図２】
0004749522.tif 000003
【図３】
0004749522.tif 000004
【図４】
0004749522.tif 000005
【図５】
0004749522.tif 000006
【図６】
0004749522.tif 000007
【図７】
0004749522.tif 000008
【図８】
0004749522.tif 000009
【図９】
0004749522.tif 000010
【図１０】
0004749522.tif 000011
【図１１】
0004749522.tif 000012
【図１２】
0004749522.tif 000013
【図１３】
0004749522.tif 000014
【図１４】
0004749522.tif 000015
【図１５】
0004749522.tif 000016
【図１６】
0004749522.tif 000017
【図１７】
0004749522.tif 000018
【図１８】
0004749522.tif 000019
【図１９】
0004749522.tif 000020
【図２０】
0004749522.tif 000021
【図２１】
0004749522.tif 000022
【図２２】
0004749522.tif 000023
【図２３】
0004749522.tif 000024
【図２４】
0004749522.tif 000025
【図２５】
0004749522.tif 000026
【図２６】
0004749522.tif 000027
【図２７】
0004749522.tif 000028
【図２８】
0004749522.tif 000029
【図２９】
0004749522.tif 000030
【図３０】
0004749522.tif 000031
【図３１】
0004749522.tif 000032
【図３２】
0004749522.tif 000033
【図３３】
0004749522.tif 000034
【図３４】
0004749522.tif 000035
【図３５】
0004749522.tif 000036